(57)【要約】【課題】効率的に通信を行なうこと。【解決手段】基地局装置と通信する端末装置であって、ＭＩＢおよび１つ以上のＳＩＢを受信する受信部と、第１の機能を有することを示す機能情報を送信する送信部と、を備え、前記ＭＩＢまたは前記ＳＩＢを用いて前記第１の機能の端末装置がアクセスすることを許可されたセルが示された場合、且つ、前記ＭＩＢまたは前記ＳＩＢにＰＤＣＣＨの設定に関する情報が含まれている場合、前記受信部は、前記ＰＤＣＣＨの設定に関する情報に基づくリソース割り当てに基づいて、前記セルからＰＤＣＣＨを受信する。【選択図】図４
2018041994.tif 000002
【特許請求の範囲】
【請求項１】
基地局装置と通信する端末装置であって、
マスターインフォメーションブロック（ＭＩＢ）および１つ以上のシステムインフォメーションブロック（ＳＩＢ）を受信する受信部と、
第１の機能を有することを示す機能情報を送信する送信部と、を備え、
前記ＭＩＢまたは前記ＳＩＢを用いて前記第１の機能の端末装置がアクセスすることを許可されたセルが示された場合、且つ、前記ＭＩＢまたは前記ＳＩＢにＰＤＣＣＨ（Physical Downlink Control Channel）の設定に関する情報が含まれている場合、
前記受信部は、
前記ＰＤＣＣＨの設定に関する情報に基づくリソース割り当てに基づいて、前記セルからＰＤＣＣＨを受信する
端末装置。
【請求項２】
前記受信部は、
前記ＰＤＣＣＨから第１のＲＮＴＩ（Radio Network Temporary Identifier）によってスクランブルされたＣＲＣ（Cyclic Redundancy Check）を伴うＤＣＩ（Downlink Control Information）フォーマットを検出し、
前記ＤＣＩフォーマットから検出したリソース割り当てに基づいて、ＰＣＨ（Paging Channel）を検出する
請求項１記載の端末装置。
【請求項３】
前記受信部は、
前記第１のＲＮＴＩを、上位層シグナリングを用いて、受信する
請求項２記載の端末装置。
【請求項４】
前記受信部は、
前記ＭＩＢまたは前記ＳＩＢに前記ＰＤＣＣＨの設定に関する情報が含まれていない場合、且つ、ＥＰＤＣＣＨ（Enhanced PDCCH）の設定に関する情報にＰＣＨに対する第２のＲＮＴＩが設定されている場合には、
前記ＥＰＤＣＣＨから第２のＲＮＴＩによってスクランブルされたＣＲＣを伴うＤＣＩフォーマットを検出し、
前記ＤＣＩフォーマットに基づいて、ＰＣＨを検出する
請求項２記載の端末装置。
【請求項５】
前記受信部は、
前記ＭＩＢまたは前記ＳＩＢに前記ＰＤＣＣＨの設定に関する情報が含まれていない場合、且つ、ＥＰＤＣＣＨ（Enhanced PDCCH）の設定に関する情報にＰＣＨに対する第２のＲＮＴＩが設定されている場合には、
前記ＥＰＤＣＣＨから第２のＲＮＴＩによってスクランブルされたＣＲＣを伴うＤＣＩフォーマットを検出し、
前記ＤＣＩフォーマットに基づいて、ＰＣＨを検出する
請求項２記載の端末装置。
【請求項６】
前記ＰＤＣＣＨの設定に基づくリソース割り当ては、前記ＭＩＢまたは前記ＳＩＢで示される下りリンク送信帯域幅に対応するリソースブロックインデクスで表される
請求項１記載の端末装置。
【請求項７】
端末装置と通信する基地局装置であって、
前記端末装置から第１の機能をサポートしていることを示された場合、
前記第１の機能をサポートする端末装置のアクセスを許可するセルがあるかないかを示す情報を、システムインフォメーションを含む上位層シグナリングを用いて送信する送信部を備え、
前記送信部は、
前記第１の機能をサポートする端末装置のアクセスを許可するセルがある場合には、マスターインフォメーションブロックまたはシステムインフォメーションブロックに前記第１の機能をサポートする端末装置に対するＰＤＣＣＨ（Physical Downlink Control Channel）の設定に関する情報をセットする
基地局装置。
【請求項８】
前記送信部は、
第１のＲＮＴＩ（Radio Network Temporary Identifier）によってスクランブルされたＣＲＣ（Cyclic Redundancy Check）を伴うＤＣＩ（Downlink Control Information）フォーマットを前記ＰＤＣＣＨの設定に基づいて送信し、
前記第１のＲＮＴＩは、前記第１の機能をサポートする端末装置に対するＰＣＨ（Paging Channel）のＲＮＴＩである
請求項７記載の基地局装置。
【請求項９】
基地局装置と通信する端末装置における方法であって、
マスターインフォメーションブロック（ＭＩＢ）を受信するステップと、
１つ以上のシステムインフォメーションブロック（ＳＩＢ）を受信するステップと、
第１の機能を有することを示す機能情報を送信するステップと、
前記ＭＩＢまたは前記ＳＩＢを用いて前記第１の機能の端末装置がアクセスすることを許可されたセルが示された場合、且つ、前記ＭＩＢまたは前記ＳＩＢにＰＤＣＣＨ（Physical Downlink Control Channel）の設定に関する情報が含まれている場合、
前記ＰＤＣＣＨの設定に関する情報に基づくリソース割り当てに基づいて、前記セルからＰＤＣＣＨを受信するステップと、を有する
方法。
【請求項１０】
端末装置と通信する基地局装置における方法であって、
前記端末装置から第１の機能をサポートしていることを示された場合、
前記第１の機能をサポートする端末装置のアクセスを許可するセルがあるかないかを示す情報を、システムインフォメーションを含む上位層シグナリングを用いて送信するステップと、
前記第１の機能をサポートする端末装置のアクセスを許可するセルがある場合には、
マスターインフォメーションブロックまたはシステムインフォメーションブロックに前記第１の機能をサポートする端末装置に対するＰＤＣＣＨ（Physical Downlink Control Channel）の設定に関する情報をセットするステップと、を有する
方法。
【発明の詳細な説明】
【技術分野】
【０００１】
本発明の実施形態は、効率的なチャネル状態情報の共有を実現する端末装置、基地局装置および方法の技術に関する。
【背景技術】
【０００２】
標準化プロジェクトである３ＧＰＰ（3rd General Partnership Project）において、ＯＦＤＭ（Orthogonal Frequency Division Multiplexing）通信方式やリソースブロックと呼ばれる所定の周波数・時間単位の柔軟なスケジューリングの採用によって、高速な通信を実現させたＥＵＴＲＡ（Evolved Universal Terrestrial Radio Access）の標準化が行なわれた。ＥＵＴＲＡにおける標準化技術を採用した通信全般をＬＴＥ（Long Term Evolution）通信と称する場合もある。
【０００３】
また、３ＧＰＰでは、より高速なデータ伝送を実現し、ＥＵＴＲＡに対して上位互換性を持つＡ−ＥＵＴＲＡ（Advanced EUTRA）の検討を行なっている。ＥＵＴＲＡでは、基地局装置がほぼ同一のセル構成（セルサイズ）から成るネットワークを前提とした通信システムであったが、Ａ−ＥＵＴＲＡでは、異なる構成の基地局装置（セル）が同じエリアに混在しているネットワーク（異種無線ネットワーク、ヘテロジニアスネットワーク）を前提とした通信システムの検討が行なわれている。
【０００４】
３ＧＰＰでは、スマートメーターなどの携帯電話以外の低移動性または固定の通信装置（端末装置および／または基地局装置）を用いて行なわれるマシン型通信（ＭＴＣ）について検討されている（非特許文献１）。
【０００５】
非特許文献１において、マシン型通信の低コスト化を行なう際に、従来では実現できていた機能が実現できない、または、実現が困難となる可能性がある。
【先行技術文献】
【非特許文献】
【０００６】
【非特許文献１】R1-144931, KDDI corporation, 3GPP TSG RAN WG1 Meeting #79, 17th-21st November 2014.
【発明の概要】
【発明が解決しようとする課題】
【０００７】
マシン型通信を行なう際に、従来の通信装置（端末装置および／または基地局装置）が実現可能な機能を備えていない可能性があるため、従来の送信電力制御方法および送信制御方法をそのまま用いることができない。
【０００８】
本発明は上記の点に鑑みてなされたものであり、その目的は、マシン型通信であっても効率的に通信を制御することができる端末装置、基地局装置および方法を提供することである。
【課題を解決するための手段】
【０００９】
（１）上記の目的を達成するために、本発明は、以下のような手段を講じた。すなわち、本発明の一様態による端末装置は、基地局装置と通信する端末装置であって、基地局装置と通信する端末装置であって、マスターインフォメーションブロック（ＭＩＢ）および１つ以上のシステムインフォメーションブロック（ＳＩＢ）を受信する受信部と、第１の機能を有することを示す機能情報を送信する送信部と、を備え、前記ＭＩＢまたは前記ＳＩＢを用いて前記第１の機能の端末装置がアクセスすることを許可されたセルが示された場合、且つ、前記ＭＩＢまたは前記ＳＩメッセージにＰＤＣＣＨ（Physical Downlink Control Channel）の設定に関する情報が含まれている場合、前記受信部は、前記ＰＤＣＣＨの設定に関する情報に基づくリソース割り当てに基づいて、前記セルからＰＤＣＣＨを受信する。
【００１０】
（２）また、本発明の一様態による基地局装置は、端末装置と通信する基地局装置であって、前記端末装置から第１の機能をサポートしていることを示された場合、前記第１の機能をサポートする端末装置のアクセスを許可するセルがあるかないかを示す情報を、システムインフォメーションを含む上位層シグナリングを用いて送信する送信部を備え、前記送信部は、前記第１の機能をサポートする端末装置のアクセスを許可するセルがある場合には、マスターインフォメーションブロックまたはシステムインフォメーションブロックに前記第１の機能をサポートする端末装置に対するＰＤＣＣＨ（Physical Downlink Control Channel）の設定に関する情報をセットする。
【００１１】
（３）また、本発明の一様態による方法は、基地局装置と通信する端末装置における方法であって、マスターインフォメーションブロック（ＭＩＢ）を受信するステップと、１つ以上のシステムインフォメーションブロック（ＳＩＢ）を受信するステップと、第１の機能を有することを示す機能情報を送信するステップと、前記ＭＩＢまたは前記ＳＩＢを用いて前記第１の機能の端末装置がアクセスすることを許可されたセルが示された場合、且つ、前記ＭＩＢまたは前記ＳＩメッセージにＰＤＣＣＨ（Physical Downlink Control Channel）の設定に関する情報が含まれている場合、前記ＰＤＣＣＨの設定に関する情報に基づくリソース割り当てに基づいて、前記セルからＰＤＣＣＨを受信するステップと、を有する。
【００１２】
（４）また、本発明の一様態による方法は、端末装置と通信する基地局装置における方法であって、前記端末装置から第１の機能をサポートしていることを示された場合、前記第１の機能をサポートする端末装置のアクセスを許可するセルがあるかないかを示す情報を、システムインフォメーションを含む上位層シグナリングを用いて送信するステップと、前記第１の機能をサポートする端末装置のアクセスを許可するセルがある場合には、マスターインフォメーションブロックまたはシステムインフォメーションブロックに前記第１の機能をサポートする端末装置に対するＰＤＣＣＨ（Physical Downlink Control Channel）の設定に関する情報をセットするステップと、を有する。
【発明の効果】
【００１３】
この発明によれば、基地局装置と端末装置が通信する無線通信システムにおいて、伝送効率を向上させることができる。
【図面の簡単な説明】
【００１４】
【図１】第１の実施形態に係る下りリンクの無線フレーム構成の一例を示す図である。
【図２】第１の実施形態に係る上りリンクの無線フレーム構成の一例を示す図である。
【図３】第１の実施形態に係る基地局装置のブロック構成の一例を示す図である。
【図４】第１の実施形態に係る端末装置のブロック構成の一例を示す図である。
【発明を実施するための形態】
【００１５】
＜第１の実施形態＞
本発明の第１の実施形態について以下に説明する。基地局装置（基地局、ノードＢ、ｅＮＢ（EUTRAN NodeB））と端末装置（端末、移動局、ユーザ装置、ＵＥ（User equipment））とが、セルにおいて通信する通信システムを用いて説明する。
【００１６】
ＥＵＴＲＡおよびＡ−ＥＵＴＲＡで使用される主な物理チャネル、および物理信号について説明を行なう。チャネルとは信号の送信に用いられる媒体を意味し、物理チャネルとは信号の送信に用いられる物理的な媒体を意味する。本実施形態において、物理チャネルは、信号と同義的に使用され得る。物理チャネルは、ＥＵＴＲＡ、および、Ａ−ＥＵＴＲＡにおいて、今後追加、または、その構造やフォーマット形式が変更または追加される可能性があるが、変更または追加された場合でも本発明の各実施形態の説明には影響しない。
【００１７】
ＥＵＴＲＡおよびＡ−ＥＵＴＲＡでは、物理チャネルまたは物理信号のスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００１８】
ＨＤ−ＦＤＤには２つのタイプがある。タイプＡ・ＨＤ−ＦＤＤオペレーションに対しては、ガードピリオドは、同じ端末装置からの上りリンクサブフレームの直前の下りリンクサブフレームの最後尾部分（最後尾のシンボル）を受信しないことによって端末装置によって生成される。タイプＢ・ＨＤ−ＦＤＤオペレーションに対しては、ＨＤガードサブフレームとして参照された、ガードピリオドは、同じ端末装置からの上りリンクサブフレームの直前の下りリンクサブフレームを受信しないことによって、および、同じ端末装置からの上りリンクサブフレームの直後の下りリンクサブフレームを受信しないことによって端末装置によって生成される。つまり、ＨＤ−ＦＤＤオペレーションにおいて、端末装置が下りリンクサブフレームの受信処理を制御することによってガードピリオドを生成している。
【００１９】
フレーム構造タイプ２は、ＴＤＤを適用できる。各無線フレームは、２つのハーフフレームで構成される。各ハーフフレームは、５つのサブフレームで構成される。あるセルにおけるＵＬ−ＤＬ設定は、無線フレーム間で変化するかもしれないし、上りリンクまたは下りリンク送信におけるサブフレームの制御は、最新の無線フレームにおいて生じるかもしれない。最新の無線フレームにおけるＵＬ−ＤＬ設定は、ＰＤＣＣＨまたは上位層シグナリングを介して取得することができる。なお、ＵＬ−ＤＬ設定は、ＴＤＤにおける、上りリンクサブフレーム、下りリンクサブフレーム、スペシャルサブフレームの構成を示す。スペシャルサブフレームは、下りリンク送信が可能なＤｗＰＴＳ、ガードピリオド（ＧＰ）、上りリンク送信が可能なＵｐＰＴＳから構成される。スペシャルサブフレームにおけるＤｗＰＴＳとＵｐＰＴＳの構成はテーブル管理されており、端末装置は、上位層シグナリングを介して、その構成を取得することができる。なお、スペシャルサブフレームが下りリンクから上りリンクへのスイッチングポイントとなる。
【００２０】
マシン型通信の低コスト化および低複雑化（低複雑設計／構成、簡易設計／構成）を実現するために、通信装置（端末装置および／または基地局装置、デバイス、モジュール）に備えられる各種処理部（送信部や受信部、制御部など）の数や機能は制限されるかもしれない。例えば、送信部や受信部に用いられるＲＦ（Radio Frequency）部やＩＦ（Intermediate Frequency）部、ベースバンド部は１つだけ備えている場合がある。すなわち、送信部や受信部で共有するかもしれない。送信部や受信部に用いられるフィルタ部やＳＣ−ＦＤＭＡ（Single Carrier-Frequency Division Multiple Access）信号送信部／受信部、ＯＦＤＭ信号送信部／受信部、上りリンクサブフレーム生成部、下りリンクサブフレーム生成部などが対応する帯域幅は制限されてもよい（例えば、１．４ＭＨｚ）。また、送信部や受信部に用いられる増幅器の性能が制限されることにより、パワークラス／電力値は従来の送信部や受信部よりも低くてもよい。つまり、マシン型通信を実現する通信装置の通信可能範囲（カバレッジ）は、従来の通信装置よりも狭いかもしれない。また、送信部や受信部が備えているアンテナ（アンテナポート）の数は制限されてもよい。つまり、ＭＩＭＯ（Multiple Input Multiple Output）を行なう機能をサポートしていなくてもよい。
【００２１】
本発明に係るマシン型通信に用いられる端末装置は、携帯電話などの端末装置と区別するために、ＭＴＣ端末や低複雑端末（ＬＣ端末）と称されてもよい。なお、本発明において、端末装置はＭＴＣ端末を含んでいる。また、本発明の端末装置は、ＬＣ端末を含んでもよい。また、本発明の端末装置は、拡張カバレッジ端末（ＥＣ端末）を含んでもよい。また、本発明に係る通信装置は、通信可能範囲または通信品質を確保するために、カバレッジ拡張をサポートする機能を有してもよい。つまり、本発明の端末装置は、拡張カバレッジ端末と称されてもよい。また、本発明の端末装置は、低複雑端末と称されてもよい。また、ＭＴＣ端末は、ＬＣ端末やＥＣ端末と称されてもよい。つまり、ＭＴＣ端末は、ＬＣ端末やＥＣ端末を含んでもよい。ただし、ＬＣ端末とＥＣ端末は異なるタイプ／カテゴリーとして区別されてもよい。ＬＴＥの通信技術／サービスをサポートしている端末は、ＬＴＥ端末と称されてもよい。ＭＴＣ端末は、ＬＴＥ端末の一部であるが、従来のＬＴＥ端末と比較して、低コストおよび低複雑な端末となっている。つまり、ＭＴＣ端末は、特定の機能に特化／限定したＬＴＥ端末である。ここでは、従来のＬＴＥ端末を単にＬＴＥ端末と称する。
【００２２】
ＬＣ端末は、ローエンドな（例えば、ユーザ一人あたりの低平均売上高、低データレート、遅延耐性のある）アプリケーション、例えば、ＭＴＣをターゲットにしている。ＬＣ端末は、端末カテゴリー０を示し、他のカテゴリーの端末と比較して送信と受信に関する性能は劣っている。ＬＣ端末は、カテゴリー０端末と称されてもよい。
【００２３】
また、ＬＣ端末は、基本的にローエンドモデルの端末を含んでいるが、ＥＣ端末は、ローエンドモデルとハイエンドモデルの両方を含んでもよい。ＥＣに関する機能はカテゴリー０だけでなく、他のカテゴリーの端末において利用されてもよい。
【００２４】
ＬＣ端末は、ＬＣ端末のアクセスがサポートされたＳＩＢ１が指示するセルだけにアクセスするかもしれない。もしそのセルがＬＣ端末をサポートしていないとすれば、ＬＣ端末は、そのセルをアクセス禁止であるとみなす。
【００２５】
基地局装置は、ＣＣＣＨ（Common Control Channel）に対するＬＣＩＤ（Logical Channel ID）と端末装置の機能情報（性能情報）に基づいて端末装置がＬＣデバイスであることを決定する。
【００２６】
Ｓ１シグナリングがページングに対する端末無線機能情報を含んで拡張している。このページング固有の機能情報が基地局装置によってＭＭＥ（Mobility Management Entity）に提供されると、ＭＭＥからのページング要求がＬＣ端末に関することを基地局装置に指示するために、ＭＭＥはこの情報を用いる。
【００２７】
それに対して、ＥＣ端末は、カバレッジの拡張および／またはカバレッジ内の通信品質の向上を目的とする。例えば、ＥＣ端末は、地下室など、通信環境が劣悪である場所で通信することが想定されている。
【００２８】
端末装置の機能情報（UE radio access capability, UE EUTRA capability）は、基地局装置（ＥＵＴＲＡＮ）が端末装置の機能情報が必要な時、接続モードの端末装置に対する手順を開始する。基地局装置は、端末装置の機能情報を問い合わせ、その問い合わせに応じて端末装置の機能情報を送信する。基地局装置は、その機能情報に対応しているか否かを判断し、対応している場合には、その機能情報に対応した設定情報を、上位層シグナリングなどを用いて端末装置へ送信する。端末装置は、機能情報に対応する設定情報が設定されたことによって、その機能に基づく送受信が可能であると判断する。
【００２９】
図１は、本実施形態に係る下りリンクの無線フレーム構成の一例を示す図である。下りリンクはＯＦＤＭアクセス方式が用いられる。下りリンクでは、物理下りリンク制御チャネル（ＰＤＣＣＨ）、拡張物理下りリンク制御チャネル（ＥＰＤＣＣＨ）、物理下りリンク共用チャネル（ＰＤＳＣＨ）などが割り当てられる。下りリンクの無線フレームは、下りリンクのリソースブロック（ＲＢ）ペアから構成されている。この下りリンクのＲＢペアは、下りリンクの無線リソースの割り当てなどの単位であり、予め決められた幅の周波数帯（ＲＢ帯域幅）および時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィックス（NCP: Normal CP）が付加される場合には７個、通常よりも長いサイクリックプレフィックス（ECP: Extended CP）が付加される場合には６個のＯＦＤＭシンボルから構成される。周波数領域において１つのサブキャリア、時間領域において１つのＯＦＤＭシンボルにより規定される領域をリソースエレメント（ＲＥ）と称する。ＰＤＣＣＨ／ＥＰＤＣＣＨは、端末装置識別子、ＰＤＳＣＨのスケジューリング情報、ＰＵＳＣＨのスケジューリング情報、変調方式、符号化率、再送パラメータなどの下りリンク制御情報（ＤＣＩ）が送信される物理チャネルである。なお、ここでは一つのコンポーネントキャリア（ＣＣ）における下りリンクサブフレームを記載しているが、ＣＣ毎に下りリンクサブフレームが規定され、下りリンクサブフレームはＣＣ間でほぼ同期している。
【００３０】
なお、ここでは図示していないが、下りリンクサブフレームには、同期信号（ＳＳ）や物理報知チャネル（ＰＢＣＨ）や下りリンク参照信号（ＤＬＲＳ）が配置されてもよい。ＤＬＲＳとしては、ＰＤＣＣＨと同じアンテナポート（送信ポート）で送信されるセル固有参照信号（ＣＲＳ）、チャネル状態情報（ＣＳＩ）の測定に用いられるチャネル状態情報参照信号（ＣＳＩ−ＲＳ）、一部のＰＤＳＣＨと同じアンテナポートで送信される端末固有参照信号（ＵＥＲＳ）、ＥＰＤＣＣＨと同じ送信ポートで送信される復調用参照信号（ＤＭＲＳ）などがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部のアンテナポート（例えば、アンテナポート０だけ）あるいは全部のアンテナポートに対応する信号と同様の信号（拡張同期信号と呼称する）を挿入することができる。ここで、アンテナポートは送信ポートと称されてもよい。ここで、“物理チャネル／物理信号がアンテナポートで送信される”とは、アンテナポートに対応する無線リソースやレイヤを用いて物理チャネル／物理信号が送信されるという意味を含む。例えば、受信部は、アンテナポートに対応する無線リソースやレイヤから物理チャネルや物理信号を受信することを意味する。
【００３１】
図２は、本実施形態に係る上りリンクの無線フレーム構成の一例を示す図である。上りリンクはＳＣ−ＦＤＭＡ方式が用いられる。上りリンクでは、物理上りリンク共用チャネル（ＰＵＳＣＨ）、物理上りリンク制御チャネル（ＰＵＣＣＨ）などが割り当てられる。また、ＰＵＳＣＨやＰＵＣＣＨとともに、上りリンク参照信号が割り当てられる。上りリンクの無線フレームは、上りリンクのＲＢペアから構成されている。この上りリンクのＲＢペアは、上りリンクの無線リソースの割り当てなどの単位であり、予め決められた幅の周波数領域（ＲＢ帯域幅）および時間領域（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィックス（Normal CP）が付加される場合には７個、通常よりも長いサイクリックプレフィックス（Extended CP）が付加される場合には６個のＳＣ−ＦＤＭＡシンボルから構成される。なお、ここでは一つのＣＣにおける上りリンクサブフレームを記載しているが、ＣＣ毎に上りリンクサブフレームが規定される。
【００３２】
同期信号は、３種類のプライマリ同期信号（ＰＳＳ）と、周波数領域で互い違いに配置される３１種類の符号から構成されるセカンダリ同期信号（ＳＳＳ）とで構成され、ＰＳＳとＳＳＳの組み合わせによって、基地局装置を識別する５０４通りのセル識別子（物理セルＩＤ（ＰＣＩ））と、無線同期のためのフレームタイミングが示される。端末装置は、セルサーチによって受信した同期信号の物理セルＩＤを特定する。
【００３３】
物理報知チャネル（ＰＢＣＨ）は、セル内の端末装置で共通に用いられる制御パラメータ（報知情報、システムインフォメーション（ＳＩ））を通知（設定）するために用いられる。ＰＤＣＣＨで報知情報が送信される無線リソースがセル内の端末装置に対して通知され、ＰＢＣＨで通知されない報知情報は、通知された無線リソースにおいて、ＰＤＳＣＨによって報知情報を通知するレイヤ３メッセージ（システムインフォメーション）が送信される。ＢＣＨ（Broadcast Channel）がマッピングされたＰＢＣＨのＴＴＩ（繰り返しレート）は４０ｍｓである。
【００３４】
ＰＢＣＨは、送信帯域幅の中心の６ＲＢｓ（つまり、７２ＲＥｓ）を用いて割り当てられる。また、ＰＢＣＨは、ＳＦＮ（無線フレーム番号）ｍｏｄ４＝０を満たす無線フレームから始まる４つ連なる無線フレームで送信される。ＰＢＣＨのスクランブルシーケンスは、ＳＦＮ（無線フレーム番号）ｍｏｄ４＝０を満たす各無線フレームにおいて、ＰＣＩを用いて初期化される。ＰＢＣＨのアンテナポートの数は、ＣＲＳのアンテナポートの数と同じである。ＰＤＳＣＨは、ＰＢＣＨやＣＲＳと重複するリソースで送信されない。つまり、端末装置は、ＰＢＣＨやＣＲＳと同じリソースにＰＤＳＣＨがマップされていると期待しない。また、基地局装置は、ＰＢＣＨやＣＲＳと同じリソースにＰＤＳＣＨをマップしない。
【００３５】
ＰＢＣＨは、システム制御情報（マスターインフォメーションブロック（ＭＩＢ））を報知するために用いられる。
【００３６】
ＭＩＢはＢＣＨで送信されるシステムインフォメーションを含んでいる。例えば、ＭＩＢに含まれるシステムインフォメーションには、下りリンク送信帯域幅やＰＨＩＣＨ設定、システムフレーム番号が含まれる。また、ＭＩＢには、１０ビットのスペアビット（ビット列）が含まれる。なお、下りリンク送信帯域幅は、モビリティ制御情報に含まれてもよい。モビリティ制御情報は、ＲＲＣ接続再設定に関する情報に含まれてもよい。つまり、下りリンク送信帯域幅は、ＲＲＣメッセージ／上位層シグナリングを介して、設定されてもよい。
【００３７】
ＭＩＢ以外で送信されるシステムインフォメーションは、システムインフォメーションブロック（ＳＩＢ）で送信される。システムインフォメーションメッセージ（ＳＩメッセージ）は、１つ以上のＳＩＢを伝送するために用いられる。ＳＩメッセージに含まれるすべてのＳＩＢは同じ周期で送信される。また、すべてのＳＩＢは、ＤＬ−ＳＣＨ（Downlink Shared Channel）で送信される。なお、ＤＬ−ＳＣＨは、ＤＬ−ＳＣＨデータやＤＬ−ＳＣＨトランスポートブロックと称されてもよい。
【００３８】
ＳＩメッセージがマップされたＤＬ−ＳＣＨが伝送されるＰＤＳＣＨのリソース割り当ては、ＳＩ−ＲＮＴＩでスクランブルされたＣＲＣを伴うＰＤＣＣＨを用いて示される。
【００３９】
ランダムアクセスレスポンスに関する情報がマップされたＤＬ−ＳＣＨが伝送されるＰＤＳＣＨのリソース割り当ては、ＲＡ−ＲＮＴＩでスクランブルされたＣＲＣを伴うＰＤＣＣＨを用いて示される。
【００４０】
ページングメッセージがマップされたＰＣＨが伝送されるＰＤＳＣＨのリソース割り当ては、Ｐ−ＲＮＴＩでスクランブルされたＣＲＣを伴うＰＤＣＣＨを用いて示される。なお、ＰＣＨは、ＰＣＨデータやＰＣＨトランスポートブロックと称されてもよい。
【００４１】
ＳＩＢはタイプ毎に送信可能なシステムインフォメーションが異なる。つまり、タイプ毎に示される情報が異なる。
【００４２】
例えば、システムインフォメーションブロックタイプ１（ＳＩＢ１）は、端末装置があるセルにアクセスする際の推定（評価、測定）に関連する情報を含み、他のシステムインフォメーションのスケジューリングを定義する。例えば、ＳＩＢ１は、ＰＬＭＮ識別子リストやセル識別子、ＣＳＧ識別子などのセルアクセスに関連する情報やセル選択情報、最大電力値（P-Max）、周波数バンドインディケータ、ＳＩウインドウ長、ＳＩメッセージに対する送信周期、ＴＤＤ設定などを含んでいる。
【００４３】
ブロードキャストを介して、または、専用シグナリングを介して、ＳＩＢ１を受信すると、端末装置は、Ｔ３１１が起動している間のアイドルモードまたは接続モードであるとすれば、そして、端末装置がカテゴリー０端末であるとすれば、そして、カテゴリー０端末がセルへのアクセスを許可されていることを指示する情報（category0Allowed）がＳＩＢ１に含まれていないとすれば、セルへのアクセスが禁止されているとみなす。すなわち、カテゴリー０端末は、ＳＩＢ１において、カテゴリー０端末がセルへのアクセスを許可されていないとすれば、そのセルへアクセスすることはできない。
【００４４】
例えば、システムインフォメーションブロックタイプ２（ＳＩＢ２）は、すべての端末装置に対して共通である無線リソース設定情報を含んでいる。例えば、ＳＩＢ２は、上りリンクキャリア周波数や上りリンク帯域幅などの周波数情報や時間調整タイマーに関する情報などを含んでいる。また、ＳＩＢ２は、ＰＤＳＣＨやＰＲＡＣＨ、ＳＲＳ、上りリンクＣＰ長などの物理チャネル／物理信号の設定に関する情報などを含んでいる。また、ＳＩＢ２は、ＲＡＣＨやＢＣＣＨなど上位層のシグナリングの設定に関する情報を含んでいる。
【００４５】
例えば、システムインフォメーションブロックタイプ３（ＳＩＢ３）は、周波数内、周波数間、ＲＡＴ（Radio Access Technology）間のセル再選択に対して共通の情報を含んでいる。
【００４６】
１７タイプのＳＩＢが用意されているが、用途によって新たに追加／定義されてもよい。
【００４７】
ＳＩメッセージは、ＳＩＢ１以外のＳＩＢが含まれる。
【００４８】
ＭＴＣ端末は、受信したＭＩＢにＭＴＣ端末に対するＰＤＣＣＨの設定に関する情報が含まれている場合、その情報に基づいて、ＭＴＣ端末に対するＰＤＣＣＨを受信する。その情報は、送信帯域幅に対するＭＴＣ端末に対するＰＤＣＣＨが割り当てられるリソースブロックインデクス（周波数ポジション）を含んでもよい。また、その情報は、ＭＴＣ端末に対するＰＤＣＣＨが割り当てられるＯＦＤＭシンボルの開始位置（スタートポジション、スタートシンボル）を示すインデクスを含んでもよい。また、その情報は、ＭＴＣ端末に対するＰＤＣＣＨに必要なＯＦＤＭシンボルの数を含んでもよい。なお、これらの情報は、他のＳＩＢや専用シグナリングによってＭＴＣ端末に提供／更新されてもよい。
【００４９】
ＰＢＣＨは、４０ｍｓ間隔内の４サブフレームにおいて、符号化されたＢＣＨトランスポートブロックがマップされる。ＰＢＣＨの４０ｍｓタイミングはブラインド検出される。つまり、４０ｍｓタイミングを指示するための明示的なシグナリングはない。各サブフレームはセルフデコードが可能であると仮定される。つまり、ＢＣＨは、かなり良いチャネル状態と仮定され、１回の受信でデコードされることができる。
【００５０】
ＭＩＢ（またはＰＢＣＨ）は、４０ｍｓ周期で、４０ｍｓ内で繰り返される固定のスケジュールを用いる。ＭＩＢの最初の送信はシステムフレーム番号（ＳＦＮ）を４で割った余りが０（ＳＦＮ  ｍｏｄ  ４＝０）となる無線フレームのサブフレーム＃０でスケジュールされ、他のすべての無線フレームのサブフレーム＃０で繰り返しがスケジュールされる。なお、ＳＦＮは、無線フレーム番号と同義である。
【００５１】
基地局装置（ＰＬＭＮ、ＥＵＴＲＡ）は、端末装置から機能情報を用いて、ＭＴＣに関する機能（ＬＣ（Low Mobility）に関する機能、ＥＣ（Enhanced Coverage）に関する機能）をサポートしていることを示された場合、ＭＴＣ端末のアクセスを許可できる（ＭＴＣ端末のアクセスを許可できるセルを有する）とすれば、ＭＩＢのスペアビットにＭＴＣ端末に対する物理チャネル（ＰＤＣＣＨ／ＥＰＤＣＣＨ、ＰＤＳＣＨ、ＰＨＩＣＨ、ＰＢＣＨなど）の設定に関する情報／パラメータをセットし、そのＭＩＢを送信してもよい。なお、基地局装置は、ＭＴＣ端末に対して、上位層シグナリングを用いてアクセス可能なセルを提供してもよい。基地局装置は、ＭＴＣ端末に対するＭＩＢ（ＰＢＣＨ）の送信を、上述したサブフレームおよび無線フレームだけでなく、より短い周期で繰り返し送信できるようにしてもよい。例えば、ＭＴＣ端末に対するＰＢＣＨは、ＭＢＳＦＮサブフレームにおいて、送信されてもよい。また、ＭＴＣ端末に対するＭＩＢは、測定ギャップのサブフレームにおいて送信されてもよい。一方、ＭＴＣ端末において、より多く繰り返し受信することによって受信精度を向上できるようにしてもよい。このようなＰＢＣＨは、繰り返し送信または受信の途中でスクランブリングシーケンスジェネレータが初期値（パラメータ）を用いて初期化されることは好ましくないので、このようなＰＢＣＨにおけるスクランブリングシーケンスジェネレータはより長い周期で初期化されてもよい。つまり、ＭＩＢに対応するＰＢＣＨの受信回数は増加するが、繰り返しの数に合わせて、スクランブリングシーケンスジェネレータの初期化を行なうタイミングは調整されてもよい。
【００５２】
繰り返し送信中（繰り返し送信期間）において、同時送受信をサポートしていない端末装置は、下りリンクサブフレームまたはスペシャルサブフレームにおいて、下りリンク信号を受信できることを期待しない。
【００５３】
繰り返し受信中（繰り返し受信期間）において、同時送受信をサポートしていない端末装置は、上りリンクサブフレームまたはスペシャルサブフレームにおいて、上りリンク信号を送信できることを期待しない。
【００５４】
ＭＩＢのスペアビットに、ＭＴＣ端末に対するＰＢＣＨの設定に関する情報がセットされた場合、ＭＴＣ端末は、その設定に基づいて、ＭＴＣ端末に対するＰＢＣＨをモニタすることができる。このＰＢＣＨで送信されるシステムインフォメーションには、ＭＴＣ端末に対するＰＨＩＣＨ／ＥＰＨＩＣＨ（Enhanced PHICH）の設定に関する情報や他の物理チャネルの設定に関する情報、ＭＴＣ端末に対するキャリア周波数、ＭＴＣ端末に対する下りリンク送信帯域幅および／または上りリンク送信帯域幅などが含まれてもよい。このような場合、基地局装置は、ＭＴＣ端末に対して割り当てた無線リソースに対して、ＬＴＥ端末に対する無線リソースを割り当てないようにスケジュールを行なってもよい。つまり、基地局装置は、ＭＴＣ端末とＬＴＥ端末でＦＤＭされるようにスケジュールを行なってもよい。
【００５５】
ＭＩＢのスペアビットには、ＭＴＣ端末に対する種々の物理チャネルの設定がＳＩＢやＲＲＣメッセージにセットされているか否かを示す情報がセットされてもよい。例えば、ＭＴＣ端末に対するＰＤＣＣＨ／ＥＰＤＣＣＨの設定がＳＩＢやＲＲＣメッセージにセットされている場合にはそれに対応するスペアビットの値が“１”にセットされる。ＭＴＣ端末に対するＰＤＣＣＨ／ＥＰＤＣＣＨの設定がＳＩＢやＲＲＣメッセージにセットされている場合にはそれに対応するスペアビットの値が“０”にセットされる。同様に、ＭＴＣ端末に対するＰＤＳＣＨの設定がＳＩＢやＲＲＣメッセージにセットされている場合にはそれに対応するスペアビットの値が“１”にセットされる。ＭＴＣ端末に対するＰＤＳＣＨの設定がＳＩＢやＲＲＣメッセージにセットされている場合にはそれに対応するスペアビットの値が“０”にセットされる。ＰＢＣＨ（ＢＣＣＨ）やＰＨＩＣＨ、ＰＲＡＣＨ（ＲＡＣＨ）、ＰＵＳＣＨ、ＰＵＣＣＨ、ＰＣＣＨ（Paging Control Channel）、ＣＣＣＨ（Common Control Channel）などについても同様に示されてもよい。ＭＴＣ端末は、対応するビットの値を読んで、対応するＳＩＢまたはＲＲＣメッセージからそれらの設定情報を取得し、対応する信号の送信および受信を行なってもよい。
【００５６】
ＭＩＢのスペアビットには、ＭＴＣ端末がアクセス可能な無線リソースの割り当て情報（リソース設定やサブフレーム設定、送信帯域幅、開始シンボルなど）がセットされてもよい。その情報に基づいて、ＭＴＣ端末は、ＭＴＣ端末に対するＰＢＣＨ（第２のＰＢＣＨ）やＰＤＣＣＨ（第２のＰＤＣＣＨまたはＥＰＤＣＣＨ）を受信することができる。そのＰＢＣＨに対応するシステムインフォメーションには、そのＰＤＣＣＨに対応するＰＨＩＣＨ設定がセットされてもよい。そのシステムインフォメーションには、種々のＲＮＴＩの値がセットされてもよい。そのＰＤＣＣＨのＣＲＣがＳＩ−ＲＮＴＩでスクランブルされた場合、そのＰＤＣＣＨに対応するＰＤＳＣＨ（ＤＬ−ＳＣＨ）において、ＭＴＣ端末に対応するシステムインフォメーションを受信することができる。ＭＴＣ端末は、そのシステムインフォメーションに基づいて、ＭＴＣ端末に対する種々の物理チャネル／物理信号の設定に関する情報を取得することができる。これらの設定に関する情報には、繰り返しの数が含まれてもよい。また、これらの設定に関する情報には、パワークラスに関する情報が含まれてもよい。また、これらの設定に関する情報には、各ＲＮＴＩの値が含まれてもよい。
【００５７】
第２のＰＢＣＨにおけるシステムインフォメーションにおいて、ＭＴＣ端末に対する下りリンク送信帯域幅や第２のＰＤＣＣＨ／ＥＰＤＣＣＨの開始シンボルが示されてもよい。ＭＴＣ端末はその下りリンク送信帯域幅や開始シンボルに基づいて第２のＰＤＣＣＨ／ＥＰＤＣＣＨを受信することができる。また、第２のＰＤＣＣＨ／ＥＰＤＣＣＨにＳＩ−ＲＮＴＩによってスクランブルされたＣＲＣがあればＭＴＣ端末に対するＳＩＢ（ＳＩメッセージ）を検出することができる。そのＳＩＢにおいて示される物理チャネル／物理信号の設定に関する情報が、ＭＴＣ端末に対応する物理チャネル／物理信号となる。ＭＴＣ端末は、設定された情報に基づいて物理チャネル／物理信号の送受信を行なうことができる。第２のＰＤＣＣＨ／ＥＰＤＣＣＨにＰ−ＲＮＴＩによってスクランブルされたＣＲＣがあればＭＴＣ端末に対するＰＣＨを検出することができる。なお、このような場合において、ＳＩ−ＲＮＴＩとＰ−ＲＮＴＩは所定の値であってもよい。
【００５８】
上述したように、基地局装置は、ＭＩＢのスペアビットにＭＴＣ端末に対する設定情報をセットすることによって、ＭＴＣ端末に対するＭＴＣ端末に対する種々の物理チャネル／物理信号の設定に関する情報を、ＬＴＥ端末とは異なる無線リソースを用いて設定することができる。
【００５９】
ＳＩＢ１は、８０ｍｓ周期で、８０ｍｓ内で繰り返される固定のスケジュールを用いる。ＳＩＢ１の最初の送信は、ＳＦＮを８で割った余りが０（ＳＦＮ  ｍｏｄ  ８＝０）となる無線フレームのサブフレーム＃５でスケジュールされ、ＳＦＮを２で割った余りが０（ＳＦＮ  ｍｏｄ  ２＝０）となる他のすべての無線フレームのサブフレーム＃５で繰り返しがスケジュールされる。
【００６０】
ＳＩメッセージは、ダイナミックスケジューリング（ＰＤＣＣＨスケジューリング、ＳＩ−ＲＮＴＩ（System Information Radio Network Temporary Identifier）がスクランブルされたＣＲＣを伴うＰＤＣＣＨ）を用いて周期的に生じる時間領域ウインドウ（ＳＩウインドウ）内に送信される。各ＳＩメッセージはＳＩウインドウと関連付けられ、異なるＳＩメッセージのＳＩウインドウは重複しない。１つのＳＩウインドウ内において、対応するＳＩだけが送信される。ＳＩウインドウの長さは、すべてのＳＩメッセージに対して共通であり、設定可能である。ＳＩウインドウ内において、ＭＢＳＦＮ（Multimedia Broadcast multicast service Single Frequency Network）サブフレーム、ＴＤＤの上りリンクサブフレーム、ＳＦＮを２で割った余りが０（ＳＦＮ  ｍｏｄ  ２＝０）となる無線フレームのサブフレーム＃５以外のサブフレームにおいて何度でも送信されることができる。端末装置は、ＰＤＣＣＨのＳＩ−ＲＮＴＩをデコードすることによって詳細な時間領域スケジューリング（および、周波数領域スケジューリングや使用されたトランスポートフォーマットなどの他の情報）を捕捉する。なお、ＳＩメッセージにはＳＩＢ１以外のＳＩＢが含まれる。
【００６１】
基地局装置（ＰＬＭＮ、ＥＵＴＲＡ）は、端末装置から機能情報を用いて、ＭＴＣに関する機能（ＬＣ（Low Mobility）に関する機能、ＥＣ（Enhanced Coverage）に関する機能）をサポートしていることを示された場合、ＭＴＣ端末のアクセスを許可できる（ＭＴＣ端末のアクセスを許可できるセルを有する）とすれば、ＳＩＢ（ＳＩＢ１やＳＩメッセージのいずれか）にＭＴＣ端末に対する物理チャネル（ＰＤＣＣＨ／ＥＰＤＣＣＨ、ＰＤＳＣＨ、ＰＨＩＣＨなど）の設定に関する情報／パラメータをセットし、そのＳＩＢを送信してもよい。基地局装置は、ＭＴＣ端末に対するＳＩＢ（ＳＩＢ１、ＳＩメッセージ、新しいＳＩＢタイプ）の送信を、上述したサブフレームおよび無線フレームだけでなく、より短い周期で繰り返し送信できるようにしてもよい。例えば、ＭＴＣ端末に対するＳＩＢは、ＭＢＳＦＮサブフレームにおいて、送信されてもよい。また、ＭＴＣ端末に対するＳＩＢは、測定ギャップのサブフレームにおいて送信されてもよい。一方、ＭＴＣ端末において、より多く繰り返し受信することによって受信精度を向上できるようにしてもよい。このようなＳＩＢに対応するＰＤＣＣＨおよびＰＤＳＣＨは、繰り返し送信または受信の途中でスクランブリングシーケンスジェネレータが初期値（パラメータ）に基づいて初期化されることは好ましくないので、このようなＰＤＣＣＨやＰＤＳＣＨにおけるスクランブリングシーケンスジェネレータはより長い周期で初期化されてもよい。つまり、ＳＩＢに対応するＰＤＣＣＨやＰＤＳＣＨの受信回数は増加するが、繰り返しの数に合わせて、初期値を用いてスクランブリングシーケンスジェネレータの初期化を行なうタイミングは調整されてもよい。
【００６２】
例えば、端末装置が下りリンク信号の繰り返し受信の機能をサポートしている場合、且つ、基地局装置が下りリンク信号の繰り返し送信の機能をサポートしている場合には、下りリンク信号に用いられるスクランブリングシーケンスまたは擬似ランダムシーケンスのジェネレータの初期化は、従来とは異なるタイミングで行なわれてもよい。また、下りリンク信号に用いられるスクランブリングシーケンスまたは擬似ランダムシーケンスのジェネレータの初期化に用いられる初期値（パラメータ）は上位層シグナリングまたはシステムインフォメーション、ＭＩＢを用いて設定されてもよい。例えば、ジェネレータの初期化に用いられる初期値は、ＰＣＩやスロット番号などに基づいて決定されるが、それとは異なる上位層パラメータや所定の値（例えば、ＲＮＴＩの値など）を用いて決定されてもよい。
【００６３】
例えば、端末装置が上りリンク信号の繰り返し送信の機能をサポートしている場合、且つ、基地局装置が上りリンク信号の繰り返し受信の機能をサポートしている場合には、上りリンク信号に用いられるスクランブリングシーケンスまたは擬似ランダムシーケンスのジェネレータの初期化は、従来とは異なるタイミングで行なわれてもよい。また、上りリンク信号に用いられるスクランブリングシーケンスまたは擬似ランダムシーケンスのジェネレータの初期化に用いられる初期値（パラメータ）は上位層シグナリングまたはシステムインフォメーション、ＭＩＢを用いて設定されてもよい。例えば、ジェネレータの初期化に用いられる初期値は、ＰＣＩやスロット番号などに基づいて決定されるが、それとは異なる上位層パラメータや所定の値（例えば、ＲＮＴＩの値など）を用いて決定されてもよい。
【００６４】
ＣＲＣをスクランブルするＲＮＴＩには、ＲＡ−ＲＮＴＩ、Ｃ−ＲＮＴＩ、ＳＰＳ  Ｃ−ＲＮＴＩ、テンポラリーＣ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩ、Ｍ−ＲＮＴＩ、Ｐ−ＲＮＴＩ、ＳＩ−ＲＮＴＩがある。ＲＡ−ＲＮＴＩ、Ｃ−ＲＮＴＩ、ＳＰＳ  Ｃ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩは、上位層シグナリングを介して、設定される。Ｍ−ＲＮＴＩ、Ｐ−ＲＮＴＩ、ＳＩ−ＲＮＴＩは１つの値に対応している。例えば、Ｐ−ＲＮＴＩは、ＰＣＨおよびＰＣＣＨに対応し、ページングとシステムインフォメーションの変更を通知するために用いられる。ＳＩ−ＲＮＴＩは、ＤＬ−ＳＣＨ、ＢＣＣＨに対応し、システムインフォメーションの報知に用いられる。ＲＡ−ＲＮＴＩは、ＤＬ−ＳＣＨに対応し、ランダムアクセスレスポンスに用いられる。ＲＡ−ＲＮＴＩ、Ｃ−ＲＮＴＩ、ＳＰＳ  Ｃ−ＲＮＴＩ、テンポラリーＣ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩは、上位層シグナリングを用いて設定される。Ｍ−ＲＮＴＩ、Ｐ−ＲＮＴＩ、ＳＩ−ＲＮＴＩは所定の値が定義されている。
【００６５】
各ＲＮＴＩによってスクランブルされたＣＲＣを伴うＰＤＣＣＨは、ＲＮＴＩの値によって、対応するトランスポートチャネルや論理チャネルが異なる場合もある。つまり、ＲＮＴＩの値によって、示される情報が異なる場合もある。
【００６６】
１つのＳＩ−ＲＮＴＩは、すべてのＳＩメッセージと同様にＳＩＢ１にアドレスするために用いられる。
【００６７】
端末装置は、ＥＵＴＲＡＮによって報知されたＡＳおよびＮＡＳのシステムインフォメーションを捕捉するためにシステムインフォメーション捕捉手順を適用する。この手順は、アイドルモード（アイドル状態、ＲＲＣ＿ＩＤＬＥ）および接続モード（接続状態、ＲＲＣ＿ＣＯＮＮＥＣＴＥＤ）の端末装置に適用される。
【００６８】
端末装置は、必要なシステムインフォメーションの有効なバージョンを持つ必要がある。
【００６９】
アイドルモードであれば、関連するＲＡＴのサポートに依存するシステムインフォメーションブロックタイプ８（ＳＩＢ８）やＲＡＮ（Radio Access Network）がアシストするＷＬＡＮ（Wireless Local Area Network）インターワーキングのサポートに依存するシステムインフォメーションブロックタイプ１７を介して、ＳＩＢ２だけでなく、ＭＩＢやＳＩＢ１も必要である。
【００７０】
接続モードであれば、ＭＩＢ、ＳＩＢ１、ＳＩＢ２、ＳＩＢ１７が必要である。
【００７１】
端末装置は、保持したシステムインフォメーションが有効であると確認してから３時間後にそのシステムインフォメーションを削除する。
【００７２】
端末装置は、ＳＩＢ１に含まれるシステムインフォメーションバリュータグが保持されたシステムインフォメーションの１つと異なるとすれば、システムインフォメーションブロックタイプ１０（ＳＩＢ１０）、システムインフォメーションブロックタイプ１１（ＳＩＢ１１）、システムインフォメーションブロックタイプ１２（ＳＩＢ１２）、システムインフォメーションブロックタイプ１４（ＳＩＢ１４）を除く、保持されたシステムインフォメーションを無効であるとみなす。
【００７３】
端末装置は、ＲＲＣ接続が確立された時、接続モードである。端末装置は、ＲＲＣ接続が確立されていない時、アイドルモードである。
【００７４】
アイドルモードの端末装置は、端末装置固有のＤＲＸは上位層によって設定されるかもしれない。また、アイドルモードの端末装置は、モビリティが制御される。また、アイドルモードの端末装置は、電話の着信やシステムインフォメーションの変更、ＥＴＷＳが可能な端末装置に対してはＥＴＷＳ通知、ＣＭＡＳが可能な端末装置に対してはＣＭＡＳ通知を検出するためにＰＣＨをモニタする。また、アイドルモードの端末装置は、周辺セル測定とセル（再）選択を行なう。また、アイドルモードの端末装置は、システムインフォメーションを捕捉する。また、アイドルモードの端末装置は、記録された測定が設定された端末装置に対してはロケーションと時間とともに利用可能な測定の記録を行なう。
【００７５】
接続モードの端末装置は、端末装置から／端末装置へのユニキャストデータの伝送を行なう。また、下位層において、接続モードの端末装置は、端末装置固有のＤＲＸを設定するかもしれない。キャリア・アグリゲーションをサポートする端末装置に対しては、帯域幅を拡張するために、ＰＣｅｌｌと集約する１つ以上のＳＣｅｌｌを用いる。デュアルコネクティビティをサポートする端末装置に対しては、帯域幅を拡張するために、ＭＣＧ（Master Cell Group）と集約する１つのＳＣＧ（Secondary Cell Group）を用いる。また、接続モードの端末装置は、ネットワークにおいてモビリティが制御される。また、接続モードの端末装置は、システムインフォメーションの変更、ＥＴＷＳが可能な端末装置に対してはＥＴＷＳ通知、ＣＭＡＳが可能な端末装置に対してはＣＭＡＳ通知を検出するためにＰＣＨおよび／またはＳＩＢ１コンテンツをモニタする。また、接続モードの端末装置は、データがスケジュールされたとすれば、決定するために、共有データチャネルと関連する制御チャネルをモニタする。また、接続モードの端末装置は、チャネル品質とフィードバック情報を提供する。また、接続モードの端末装置は、周辺セル測定と測定報告を行なう。また、接続モードの端末装置は、システムインフォメーションを捕捉する。
【００７６】
ＰＢＣＨは、周波数領域においては下りリンク帯域幅設定における中心の６ＲＢｓ（７２ＲＥｓ）に割り当てられ、時間領域においてはサブフレーム０（無線フレーム内の１番目のサブフレーム、サブフレームのインデクス０）のスロット１（サブフレーム内の２番目のスロット、スロットインデクス１）のインデクス（ＯＦＤＭシンボルのインデクス）０〜３に割り当てられる。なお、下りリンク帯域幅設定は、サブキャリアの数で表された、周波数領域におけるリソースブロックサイズの倍数で表される。また、下りリンク帯域幅設定は、あるセルで設定された下りリンク送信帯域幅である。つまり、ＰＢＣＨは、下りリンク送信帯域幅の中心の６ＲＢｓを用いて送信される。
【００７７】
ＰＢＣＨは、ＤＬＲＳに対してリザーブされたリソースを用いて送信されない。つまり、ＰＢＣＨは、ＤＬＲＳのリソースを避けてマッピングされる。ＰＢＣＨのマッピングは、実際の設定に係らず、存在しているアンテナポート０〜３に対するＣＲＳを仮定して行なわれる。また、アンテナポート０〜３のＣＲＳのリソースエレメントは、ＰＤＳＣＨ送信に対して利用されない。
【００７８】
報知情報として、セル個別の識別子を示すセルグローバル識別子（ＣＧＩ）、ページングによる待ち受けエリアを管理するトラッキングエリア識別子（ＴＡＩ）、ランダムアクセス設定情報（送信タイミングタイマーなど）、当該セルにおける共通無線リソース設定情報、周辺セル情報、上りリンクアクセス制限情報などが通知される。
【００７９】
下りリンク参照信号（ＤＬＲＳ）は、その用途によって複数のタイプに分類される。例えば、ＣＲＳは、セル毎に所定の電力で送信されるパイロット信号であり、所定の規則に基づいて周波数領域および時間領域で周期的に繰り返される下りリンク参照信号である。端末装置は、ＣＲＳを受信することでセル毎の受信品質（ＲＳＲＰ（Reference Signal Received Power）、ＲＳＲＱ（Reference Signal Received Quality））を測定する。また、端末装置は、ＣＲＳと同時に送信されるＰＤＣＣＨ、または、ＰＤＳＣＨの復調のための参照用の信号としてもＣＲＳを使用する。ＣＲＳに使用される系列は、セル毎に識別可能な系列が用いられる。
【００８０】
また、ＤＬＲＳは、下りリンクの伝搬路変動の推定（チャネル推定）にも用いられる。伝搬路変動の推定に用いられるＤＬＲＳのことをチャネル状態情報参照信号（ＣＳＩ−ＲＳ）と称する。また、端末装置に対して個別に設定されるＤＬＲＳは、ＵＥＲＳ、ＤＭＲＳまたはＤｅｄｉｃａｔｅｄ  ＲＳと称され、ＥＰＤＣＣＨ（Enhanced PDCCH）、または、ＰＤＳＣＨを復調するときのチャネルの伝搬路補償処理のために参照される。
【００８１】
チャネル状態情報（ＣＳＩ）は、受信品質指標（ＣＱＩ）、プレコーディング行列指標（ＰＭＩ）、プレコーディングタイプ指標（ＰＴＩ）、ランク指標（ＲＩ）を含み、それぞれ、好適な変調方式および符号化率、好適なプレコーディング行列、好適なＰＭＩのタイプ、好適なランクを指定する（表現する）ために用いられることができる。なお、各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１のＰＭＩと第２のＰＭＩの２種類のＰＭＩを用いて１つの好適なプレコーディング行列を表現するタイプのＰＭＩが存在する。なお、ＣＳＩは、ＰＵＣＣＨまたはＰＵＳＣＨを用いて報告される。
【００８２】
物理下りリンク制御チャネル（ＰＤＣＣＨ）は、各サブフレームの先頭からいくつかのＯＦＤＭシンボル（例えば、１〜４ＯＦＤＭシンボル）で送信される。拡張物理下りリンク制御チャネル（ＥＰＤＣＣＨ）は、ＰＤＳＣＨが配置されるＯＦＤＭシンボルに配置されるＰＤＣＣＨである。ＰＤＣＣＨまたはＥＰＤＣＣＨは、端末装置に対して基地局装置のスケジューリングに従った無線リソース割り当て情報や、送信電力の増減の調整量を指示する情報、その他の制御情報を通知する目的で使用される。つまり、ＰＤＣＣＨ／ＥＰＤＣＣＨは、ＤＣＩ（または、少なくとも１つのＤＣＩで構成されたあるＤＣＩフォーマット）を送信するために使用される。本発明の各実施形態において、単にＰＤＣＣＨと記載した場合、特に明記がなければ、ＰＤＣＣＨとＥＰＤＣＣＨの両方の物理チャネルを意味する。
【００８３】
ＰＤＣＣＨは、ＰＣＨ（Paging Channel）とＤＬ−ＳＣＨのリソース割り当ておよびＤＬ−ＳＣＨに関するＨＡＲＱ情報（ＤＬ  ＨＡＲＱ）を端末装置（ＵＥ）と中継局装置（ＲＮ）に通知するために用いられる。また、ＰＤＣＣＨは、上りリンクスケジューリンググラントやサイドリンクスケジューリンググラントを送信するために用いられる。
【００８４】
ＥＰＤＣＣＨは、ＤＬ−ＳＣＨのリソース割り当ておよびＤＬ−ＳＣＨに関するＨＡＲＱ情報を端末装置（ＵＥ）に通知するために用いられる。また、ＥＰＤＣＣＨは、上りリンクスケジューリンググラントやサイドリンクスケジューリンググラントを送信するために用いられる。
【００８５】
ＰＤＣＣＨは、１つまたはいくつかの連続する制御チャネル要素（ＣＣＥ）を集約して送信される。なお、１つのＣＣＥは、９つのリソースエレメントグループ（ＲＥＧ）に相当する。システムで利用可能なＣＣＥの数は、物理制御フォーマットインディケータチャネル（ＰＣＦＩＣＨ）や物理ＨＡＲＱインディケータチャネル（ＰＨＩＣＨ）を除いて決定される。ＰＤＣＣＨは、複数のフォーマット（ＰＤＣＣＨフォーマット）をサポートしている。各ＰＤＣＣＨフォーマットは、ＣＣＥの数やＲＥＧの数、ＰＤＣＣＨビットの数が定義されている。１つのＲＥＧは、４ＲＥｓで構成される。つまり、１ＰＲＢで３ＲＥＧｓまで含めてもよい。ＰＤＣＣＨフォーマットは、ＤＣＩフォーマットのサイズなどに応じて決定される。
【００８６】
複数のＰＤＣＣＨは、下りリンク送信帯域幅全体にマッピングされるので、端末装置は自装置宛のＰＤＣＣＨを検出するまでデコードし続ける。つまり、ＰＤＣＣＨは、一部の周波数領域のみを受信してデコードしても検出することはできない。
【００８７】
複数のＰＤＣＣＨは、１つのサブフレームで送信されてもよい。また、ＰＤＣＣＨは、ＰＢＣＨと同じセットのアンテナポートで送信される。ＥＰＤＣＣＨは、ＰＤＣＣＨとは異なるアンテナポートから送信される。
【００８８】
端末装置は、下りリンクデータや上位層制御情報であるレイヤ２メッセージおよびレイヤ３メッセージ（ページング、ハンドオーバコマンドなど）を送受信する前に、自装置宛のＰＤＣＣＨを監視（モニタ）し、自装置宛のＰＤＣＣＨを受信することで、送信時には上りリンクグラント、受信時には下りリンクグラント（下りリンクアサインメント）と呼ばれる無線リソース割り当て情報をＰＤＣＣＨから取得する必要がある。なお、ＰＤＣＣＨは、上述したＯＦＤＭシンボルで送信される以外に、基地局装置から端末装置に対して個別に割り当てられるリソースブロックの領域で送信されるように構成することも可能である。
【００８９】
ＤＣＩは、特定のフォーマットで送信される。上りリンクグラントと下りリンクグラントを示すフォーマットは異なるフォーマットで送信される。例えば、端末装置は、ＤＣＩフォーマット０から上りリンクグラントを取得し、ＤＣＩフォーマット１Ａから下りリンクグラントを取得することができる。また、ＰＵＳＣＨまたはＰＵＣＣＨに対する送信電力制御コマンドを示すＤＣＩのみを含むＤＣＩフォーマット（ＤＣＩフォーマット３／３Ａ）やＵＬ−ＤＬ設定を示すＤＣＩを含むＤＣＩフォーマット（ＤＣＩフォーマット１Ｃ）などがある。例えば、ＰＵＳＣＨやＰＤＳＣＨに対する無線リソース割り当て情報は、ＤＣＩの一種である。
【００９０】
端末装置は、検出したＤＣＩ（検出したＤＣＩにセットされた値）に基づいて、対応する上りリンク信号や下りリンク信号の種々のパラメータを設定し、送受信を行なうことができる。例えば、ＰＵＳＣＨのリソース割り当てに関するＤＣＩを検出した場合、端末装置は、そのＤＣＩに基づいて、ＰＵＳＣＨのリソース割り当てを行ない、送信することができる。また、ＰＵＳＣＨに対する送信電力制御コマンド（ＴＰＣコマンド）を検出した場合、端末装置は、そのＤＣＩに基づいて、ＰＵＳＣＨの送信電力の調整を行なうことができる。また、ＰＤＳＣＨのリソース割り当てに関するＤＣＩを検出した場合、端末装置は、そのＤＣＩに基づいて示されたリソースからＰＤＳＣＨを受信することができる。
【００９１】
端末装置は、各種ＤＣＩ（ＤＣＩフォーマット）を特定のＲＮＴＩ（Radio Network Temporary Identifier）によってスクランブルされたＣＲＣ（Cyclic Redundancy Check）を伴うＰＤＣＣＨをデコードすることによって取得（判別）することができる。どのＲＮＴＩによってスクランブルされたＣＲＣを伴うＰＤＣＣＨをデコードするかは上位層によって設定される。
【００９２】
どのＲＮＴＩによってスクランブルされるかによって、そのＰＤＣＣＨに対応するＤＬ−ＳＣＨまたはＰＣＨで送信される制御情報は異なる。例えば、Ｐ−ＲＮＴＩ（Paging RNTI）によってスクランブルされた場合は、そのＰＣＨでページングに関する情報が送信される。また、ＳＩ−ＲＮＴＩ（System Information RNTI）によってスクランブルされた場合は、そのＤＬ−ＳＣＨを用いてシステムインフォメーションが送信されてもよい。
【００９３】
また、ＤＣＩフォーマットは、特定のＲＮＴＩによって与えられたサーチスペース（共有サーチスペース（ＣＳＳ）、ＵＥ固有サーチスペース（ＵＥＳＳ））にマップされる。また、サーチスペースは、モニタするＰＤＣＣＨ候補のセットとして定義されている。つまり、本発明の各実施形態において、サーチスペースをモニタすることとＰＤＣＣＨをモニタすることは同義である。なお、ＰＣｅｌｌにおけるＣＳＳとＵＥＳＳは重複することがある。ＥＰＤＣＣＨにおいては、ＵＥＳＳのみ定義されている場合がある。
【００９４】
ＰＨＩＣＨは、上りリンク送信に応えるＨＡＲＱ−ＡＣＫ／ＮＡＣＫ（ＮＡＫ）を送信するために用いられる。
【００９５】
ＰＣＦＩＣＨは、ＰＤＣＣＨに用いられるＯＦＤＭシンボルの数に関して端末装置と中継局装置に通知するために用いられる。また、ＰＣＦＩＣＨは、下りリンクサブフレームまたはスペシャルサブフレーム毎に送信される。
【００９６】
物理下りリンク共用チャネル（ＰＤＳＣＨ）は、下りリンクデータ（ＤＬ−ＳＣＨデータ、ＤＬ−ＳＣＨトランスポートブロック）の他、ＰＣＨ、ページングやＰＢＣＨで通知されない報知情報（システムインフォメーション）をレイヤ３メッセージとして端末装置に通知するために用いられる。ＰＤＳＣＨの無線リソース割り当て情報は、ＰＤＣＣＨを用いて示される。ＰＤＳＣＨはＰＤＣＣＨが送信されるＯＦＤＭシンボル以外のＯＦＤＭシンボルに配置されて送信される。すなわち、ＰＤＳＣＨとＰＤＣＣＨは１サブフレーム内で時分割多重（ＴＤＭ）されている。ただし、ＰＤＳＣＨとＥＰＤＣＣＨは１サブフレーム内で周波数分割多重（ＦＤＭ）されている。
【００９７】
また、ＰＤＳＣＨはシステム制御情報を報知するために用いられてもよい。
【００９８】
また、ＰＤＳＣＨはネットワークが端末装置の位置セルを知らない時のページングとして用いられてもよい。つまり、ＰＤＳＣＨはページング情報やシステムインフォメーション変更通知を送信するために用いられてもよい。
【００９９】
また、ＰＤＳＣＨはネットワークとのＲＲＣ接続を持たない端末装置（アイドルモードの端末装置）に対して、端末装置とネットワーク間の制御情報を送信するために用いられてもよい。
【０１００】
また、ＰＤＳＣＨはＲＲＣ接続を持つ端末装置（接続モードの端末装置）に対して、端末装置とネットワーク間の専用制御情報を送信するために用いられてもよい。
【０１０１】
物理上りリンク制御チャネル（ＰＵＣＣＨ）は、ＰＤＳＣＨで送信された下りリンクデータの受信確認応答（ＨＡＲＱ−ＡＣＫ；Ｈｙｂｒｉｄ  Ａｕｔｏｍａｔｉｃ  Ｒｅｐｅａｔ  ｒｅＱｕｅｓｔ−ＡｃｋｎｏｗｌｅｄｇｅｍｅｎｔあるいはＡＣＫ／ＮＡＣＫ（またはＡＣＫ／ＮＡＫ）；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ）の報告、上りリンクの無線リソース割り当て要求（無線リソース要求、スケジューリングリクエスト（ＳＲ））を行なうために用いられる。つまり、ＰＵＣＣＨは、下りリンク送信に応えるＨＡＲＱ−ＡＣＫ／ＮＡＣＫやＳＲ、ＣＳＩ報告を送信するために用いられる。ＰＵＣＣＨは、送信するＨＡＲＱ−ＡＣＫやＣＳＩ、ＳＲなどの上りリンク制御情報（ＵＣＩ）の種類に応じて複数のフォーマットがサポートされている。ＰＵＣＣＨは、フォーマット毎にリソース割り当て方法や送信電力制御方法が定義されている。ＰＵＣＣＨは、１サブフレームの２つのスロットのそれぞれにおける１ＲＢを用いる。つまり、ＰＵＣＣＨは、フォーマットに因らず、１ＲＢで構成される。また、ＰＵＣＣＨは、スペシャルサブフレームのＵｐＰＴＳで送信されなくてもよい。
【０１０２】
ＰＵＣＣＨがＳＲＳサブフレームで送信される場合には、短縮フォーマットが適用されるＰＵＣＣＨフォーマット（例えば、フォーマット１、１ａ、１ｂ、３）では、ＳＲＳが割り当てられる可能性のある最後尾の１シンボルまたは２シンボル（そのサブフレームにおける２番目のスロットの最後尾の１シンボルまたは２シンボル）を空にする。
【０１０３】
各スロットの１ＲＢは、ＰＵＣＣＨフォーマット１／１ａ／１ｂとＰＵＣＣＨフォーマット２／２ａ／２ｂのミックスをサポートしてもよい。つまり、端末装置は、１ＲＢでＰＵＣＣＨフォーマット１／１ａ／１ｂとＰＵＣＣＨフォーマット２／２ａ／２ｂを送信してもよい。
【０１０４】
ＰＵＣＣＨに対して、繰り返しの数が設定された場合、ＰＵＣＣＨの繰り返し送信が完了するまで、擬似ランダムシーケンスジェネレータは初期値を用いて初期化されなくてもよい。
【０１０５】
物理上りリンク共用チャネル（ＰＵＳＣＨ）は、主に上りリンクデータ（ＵＬ−ＳＣＨデータ、ＵＬ−ＳＣＨトランスポートブロック）と制御データを送信し、ＣＳＩやＡＣＫ／ＮＡＣＫ（ＨＡＲＱ−ＡＣＫ）、ＳＲなどの上りリンク制御情報（ＵＣＩ）を含めることも可能である。また、上りリンクデータの他、上位層制御情報であるレイヤ２メッセージおよびレイヤ３メッセージを端末装置から基地局装置に通知するためにも使用される。また、下りリンクと同様にＰＵＳＣＨの無線リソース割り当て情報は、ＰＤＣＣＨ（ＤＣＩフォーマットを伴うＰＤＣＣＨ）で示される。ＰＵＳＣＨはＳＲＳサブフレームで送信される場合、ＰＵＳＣＨリソースがＳＲＳ帯域幅と重複するとすれば、ＳＲＳが割り当てられる可能性のある最後尾の１シンボルまたは２シンボル（そのサブフレームにおける２番目のスロットの最後尾の１シンボルまたは２シンボル）を空にする。
【０１０６】
ＰＵＳＣＨに対して、繰り返しの数が設定された場合、ＰＵＳＣＨの繰り返し送信が完了するまで、スクランブリングシーケンスジェネレータは初期値を用いて初期化されなくてもよい。
【０１０７】
上りリンク参照信号（上りリンクパイロット信号、上りリンクパイロットチャネル、ＵＬＲＳ）は、基地局装置が、ＰＵＣＣＨおよび／またはＰＵＳＣＨを復調するために使用する復調参照信号（ＤＭＲＳ）と、基地局装置が、主に、上りリンクのチャネル状態を推定するために使用するサウンディング参照信号（ＳＲＳ）が含まれる。また、ＳＲＳには、周期的に送信される周期的サウンディング参照信号（Ｐ−ＳＲＳ）と、基地局装置から指示されたときに送信される非周期的サウンディング参照信号（Ａ−ＳＲＳ）とがある。なお、Ｐ−ＳＲＳはトリガータイプ０ＳＲＳ、Ａ−ＳＲＳはトリガータイプ１ＳＲＳと称される。ＳＲＳは、サブフレームの最後尾のシンボルに１シンボルまたは２シンボルで割り当てられる。ＳＲＳが送信されるサブフレームは、ＳＲＳサブフレームと称されてもよい。ＳＲＳサブフレームは、セル固有のサブフレーム設定と端末装置固有のサブフレーム設定に基づいて決定される。セル内のすべての端末装置は、セル固有のサブフレーム設定にセットされたサブフレームにおいて、ＰＵＳＣＨを送信する場合には、そのサブフレームの最後尾のシンボルにＰＵＳＣＨのリソースを割り当てない。ＰＵＣＣＨの場合、短縮フォーマットが適用されたとすれば、セル固有のサブフレーム設定にセットされたサブフレームにおいて、そのサブフレームの最後尾のシンボルにＰＵＣＣＨのリソースを割り当てない。ただし、ＰＵＣＣＨフォーマットによっては短縮フォーマットが適用されない場合もある。その場合は、ＰＵＣＣＨはノーマルフォーマットで（つまり、ＳＲＳシンボルにＰＵＣＣＨリソースを割り当てて）送信されてもよい。ＰＲＡＣＨの場合、ＰＲＡＣＨの送信が優先される。ＳＲＳシンボルがＰＲＡＣＨのガードタイム上にある場合には、ＳＲＳは送信されてもよい。
【０１０８】
物理ランダムアクセスチャネル（ＰＲＡＣＨ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。ＰＲＡＣＨは、端末装置の基地局装置へのアクセス手段（初期アクセスなど）として用いられる。ＰＲＡＣＨは、ランダムアクセスプリアンブルを送信するために用いられる。
【０１０９】
端末装置は、ＳＲに対するＰＵＣＣＨ未設定時の上りリンクの無線リソース要求のため、または、上りリンク送信タイミングを基地局装置の受信タイミングウィンドウに合わせるために必要な送信タイミング調整情報（タイミングアドバンス（ＴＡ）コマンドとも呼ばれる）を基地局装置に要求するためなどにＰＲＡＣＨを用いる。また、基地局装置は、端末装置に対してＰＤＣＣＨを用いてランダムアクセス手順の開始を要求することもできる（ＰＤＣＣＨオーダーと称する）。
【０１１０】
レイヤ３メッセージは、端末装置と基地局装置のＲＲＣ（無線リソース制御）層でやり取りされる制御平面（ＣＰ、Ｃ−Ｐｌａｎｅ）のプロトコルで取り扱われるメッセージであり、ＲＲＣシグナリングまたはＲＲＣメッセージと同義的に使用され得る。なお、制御平面に対し、ユーザデータ（上りリンクデータおよび下りリンクデータ）を取り扱うプロトコルのことをユーザ平面（ＵＰ、Ｕ−Ｐｌａｎｅ）と称する。ここで、物理層における送信データであるトランスポートブロックは、上位層におけるＣ−ＰｌａｎｅのメッセージとＵ−Ｐｌａｎｅのデータとを含む。つまり、本発明の各実施形態において、データとトランスポートブロックは同義である。なお、それ以外の物理チャネルは、詳細な説明は省略する。
【０１１１】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【０１１２】
端末装置は電源を入れた直後など（例えば、起動時）、いずれのネットワークとも非接続状態である。このような非接続状態をアイドルモード（ＲＲＣアイドル）と称する。アイドルモードの端末装置は通信を行なうために、いずれかのネットワークと接続する必要がある。つまり、端末装置は、接続モード（ＲＲＣ接続）になる必要がある。ここで、ネットワークは、ネットワークに属する基地局装置やアクセスポイント、ネットワークサーバ、モデムなどを含んでもよい。
【０１１３】
そこで、アイドルモードの端末装置は、通信を行なうために、ＰＬＭＮ（Public Land Mobile Network）選択、セル選択／再選択、位置登録、ＣＳＧ（Closed Subscriber Group）セルの手動選択などを行なう必要がある。
【０１１４】
端末装置が電源を入れられた時、ＰＬＭＮは非アクセス層（ＮＡＳ）によって選択される。選択されたＰＬＭＮに対して、関連する無線アクセス技術（ＲＡＴ）がセットされる。ＮＡＳは、利用可能であれば、アクセス層がセル選択／再選択に使用するのに、相当するＰＬＭＮのリストを提供する。
【０１１５】
セル選択において、端末装置は、選択されたＰＬＭＮの適切なセルを探索し、利用可能なサービスが提供されるセル（サービングセル）を選択する。さらに、端末装置はその制御チャネルに周波数を合わせる。このような選択を“セルにキャンプする”と称する。
【０１１６】
端末装置は、必要であれば、ＮＡＳ登録手順を用いて、選択されたＰＬＭＮが登録されたＰＬＭＮとなる位置登録成功の結果として、選択されたセルのトラッキングエリアにおける、その存在（選択されたセルに関する情報やトラッキングエリアに関する情報）を登録する。
【０１１７】
端末装置は、より適切なセルを見つけた場合、セル再選択基準に応じて、そのセルを再選択し、キャンプする。新しいセルが端末装置登録した少なくとも１つのトラッキングエリアに属していないとすれば、新しいセルに対する位置登録が行なわれる。
【０１１８】
必要であれば、端末装置は、一定時間毎により優先度の高いＰＬＭＮを探索し、他のＰＬＭＮがＮＡＳによって選択されたとすれば、適切なセルを探索する。
【０１１９】
利用可能なＣＳＧの探索が手動ＣＳＧ選択をサポートするためにＮＡＳによってトリガーされるかもしれない。
【０１２０】
端末装置は登録されたＰＬＭＮのカバレッジの範囲から外れたとすれば、新しいＰＬＭＮを自動で選択する（自動モード）か、どのＰＬＭＮが利用可能であるかを手動で選択する（手動モード）かのいずれかをユーザが設定できるようにしてもよい。ただし、登録を必要としないサービスを受ける場合には、端末装置は、このような登録を行なわなくてもよい。
【０１２１】
アイドルモードの端末装置がセルをキャンプする目的として以下の（Ａ１）〜（Ａ５）がある。
【０１２２】
（Ａ１）端末装置に、ＰＬＭＮ（またはＥＵＴＲＡＮ）からのシステムインフォメーションを受信させることができる。
【０１２３】
（Ａ２）登録された時、端末装置がＲＲＣ接続を確立しようとすれば、キャンプされたセルの制御チャネルを用いてネットワークに初期アクセスを行なう。
【０１２４】
（Ａ３）ＰＬＭＮが登録した端末装置に対する呼び出しを受信したとすれば、ＰＬＭＮは端末装置がキャンプされたトラッキングエリアのセット（つまり、キャンプセル）が分かる。それから、ＰＬＭＮはトラッキングエリアのこのセットにおけるすべてのセルの制御チャネルで端末装置に対する“ページングメッセージ”を送信することができる。それから端末装置は、登録したトラッキングエリアの１つのセルの制御チャネルに周波数を合わせるのでそのページングメッセージを受信し、その制御チャネルに対して応答することができる。
【０１２５】
（Ａ４）端末装置に、ＥＴＷＳ（Earthquake and Tsunami Warning System）とＣＭＡＳ（Commercial Mobile Alter System）通知を受信させることができる。
【０１２６】
（Ａ５）端末装置に、ＭＢＭＳ（Multimedia Broadcast-Multicast Service）を受信させることができる。
【０１２７】
端末装置がキャンプする適切なセルを見つけることができなかったとすれば、もしくは、位置登録が失敗したとすれば、ＰＬＭＮ識別子に係らず、セルにキャンプしようとし、“制限されたサービス”状態に入る。ここで制限されたサービスとは、条件を満たすセルにおける緊急通話やＥＴＷＳ、ＣＭＡＳなどである。それに対して、ノーマルサービスは、適切なセルにおける公共利用に対して行なわれる。また、オペレータ特有のサービスなどもある。
【０１２８】
ＮＡＳが、ＰＳＭ（Power Saving Mode）が開始することを指示する時、アクセス層（ＡＳ）設定は維持され、すべての作動しているタイマーは作動し続けるが、端末装置はアイドルモードタスク（例えば、ＰＬＭＮ選択やセル選択／再選択など）を行なう必要はない。端末装置がＰＳＭで、あるタイマーが満了したら、ＰＳＭが終了したときの最後の処理を行なうか、直ちに対応する処理を行なうかは端末装置の実装次第である。ＮＡＳがＰＳＭの終了を指示した時、端末装置はすべてのアイドルモードタスクを行なう。
【０１２９】
端末装置は、セルの中を通信エリアとみなして動作する。端末装置が、あるセルから別のセルへ移動するときは、非接続時（ＲＲＣアイドル、アイドルモード、非通信中）はセル選択／再選択手順、接続時（ＲＲＣ接続、接続モード、通信中）はハンドオーバ手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【０１３０】
ＰＬＭＮ選択において、端末装置では、ＮＡＳからの要求、または、自発的に、ＮＡＳへ利用可能なＰＬＭＮを報告する。ＰＬＭＮ選択中は、優先順位におけるＰＬＭＮ識別子のリストに基づいて、自動または手動のいずれかで特定のＰＬＭＮが選択されるかもしれない。ＰＬＭＮ識別子のリストにおける各ＰＬＭＮは‘ＰＬＭＮ識別子’で識別される。報知チャネルにおけるシステムインフォメーションにおいて、端末装置は、あるセルにおける１つまたは複数の‘ＰＬＭＮ識別子’を受信することができる。ＮＡＳによって行なわれたＰＬＭＮ選択の結果は選択したＰＬＭＮの識別子である。
【０１３１】
ＮＡＳの要求に基づいて、ＡＳは利用可能なＰＬＭＮの探索を行ない、それらをＮＡＳへ報告する。
【０１３２】
ＥＵＴＲＡの場合、端末装置は、利用可能なＰＬＭＮを見つけるために、端末装置の機能情報に応じたＥＵＴＲＡオペレーティングバンド内のすべてのＲＦチャネルをスキャンする。各キャリア（コンポーネントキャリア）において、端末装置は最も強いセルを探索し、そのセルが属しているＰＬＭＮを見つけるために、そのシステムインフォメーションを読み取る。端末装置は、その最も強いセルにおいて、１つまたはいくつかのＰＬＭＮ識別子を読み取ることができるとすれば、各発見されたＰＬＭＮはより質の高いＰＬＭＮとしてＮＡＳへ報告される。なお、より質の高いＰＬＭＮの基準は、ＥＵＴＲＡセルに対して測定されたＲＳＲＰの値が所定の値（例えば、−１１０ｄＢｍ）以上であることである。なお、最も強いセルとは、例えば、ＲＳＲＰやＲＳＲＱなどの測定値が最もよい（最も高い）値を示すセルのことである。つまり、最も強いセルとは、その端末装置における通信に対して最適なセルのことである。
【０１３３】
発見されたＰＬＭＮが、基準は満たしていないが、読み取れるとすれば、ＲＳＲＰの値とともにＰＬＭＮ識別子はＮＡＳへ報告される。ＮＡＳへ報告された測定値は１つのセルで発見された各ＰＬＭＮに対して同じである。
【０１３４】
ＰＬＭＮの探索は、ＮＡＳの要求によって止められるかもしれない。端末装置は、保持していた情報（例えば、受信測定制御情報要素からのキャリア周波数やセルパラメータに関する情報など）を用いることによってＰＬＭＮ探索を最適化するかもしれない。
【０１３５】
端末装置は、ＰＬＭＮを選択するとすぐに、キャンプするためのＰＬＭＮの適切なセルを選択するためにセル選択手順が行なわれる。
【０１３６】
ＰＬＭＮ選択の一部として、ＣＳＧ−ＩＤがＮＡＳによって提供されたとすれば、端末装置は、キャンプするために、提供されたＣＳＧ−ＩＤに属する、許容可能なセルまたは適切なセルを探索する。端末装置が提供されたＣＳＧ−ＩＤのセルにキャンプできない時、ＡＳはＮＡＳにその情報を提供する。
【０１３７】
セル選択／再選択において、端末装置は、セル選択／再選択に対する測定を行なう。
【０１３８】
ＮＡＳは、例えば、選択されたＰＬＭＮに関連するＲＡＴを指示することによって、または、禁止登録エリアのリストや相当するＰＬＭＮのリストを保持することによって、セル選択が行なわれたＲＡＴを制御することができる。端末装置は、アイドルモード測定およびセル選択基準に基づいて適切なセルを選択する。
【０１３９】
セル選択処理を加速するために、いくつかのＲＡＴに対して保持した情報は端末装置において利用されるかもしれない。
【０１４０】
セルにキャンプされた場合、端末装置はセル再選択基準に応じて、よりよいセルを探索する。よりよいセルが発見されたとすれば、そのセルが選択される。セルの変更はＲＡＴの変更を意味することもある。ここで、よりよいセルとは、通信するのにより適したセルのことである。例えば、よりよいセルとは、通信品質がよりよい（例えば、ＲＳＲＰやＲＳＲＱの測定値が好結果である）セルのことである。
【０１４１】
セル選択／再選択が受信したＮＡＳに関するシステム情報において変更されたとすれば、ＮＡＳは情報を提供される。
【０１４２】
ノーマルサービスにおいて、端末装置は適切なセルにキャンプし、そのセルの制御チャネルに波長を合わせる。そうすることによって、端末装置は、ＰＬＭＮからのシステムインフォメーションを受信することができる。また、端末装置は、ＰＬＭＮから、トラッキングエリア情報などの登録エリア情報を受信することができる。また、端末装置は、他のＡＳとＮＡＳ情報を受信することができる。登録したとすれば、ＰＬＭＮからページングおよび通知メッセージを受信することができる。また、端末装置は、接続モードへの遷移を開始することができる。
【０１４３】
端末装置は、２つのセル選択手順のうちの１つを用いる。初期セル選択は、ＲＦチャネルがＥＵＴＲＡキャリアであるという予備知識（保持情報）を必要としない。端末装置は、適切なセルを見つけるために端末装置の機能情報に応じたＥＵＴＲＡオペレーティングバンドにおけるすべてのＲＦチャネルをスキャンする。各キャリア周波数において、端末装置は最も強いセルに対する探索だけ必要である。適切なセルが発見されるとすぐに、このセルが選択される。
【０１４４】
保持情報セル選択は、予め受信した測定制御情報要素から、または、予め検出されたセルからの、保持された、キャリア周波数の情報と任意でさらにセルパラメータに関する情報を必要とする。端末装置は適切なセルを見つけるとすぐに、そのセルを選択する。適切なセルが見つからないとすれば、初期セル選択手順が開始される。
【０１４５】
標準セル選択に加え、ＣＳＧの手動選択が上位層からの要求に応じて端末装置によってサポートされる。
【０１４６】
異なるＥＵＴＲＡＮ周波数もしくはＲＡＴ間周波数の明確な優先事項がシステムインフォメーション（例えば、ＲＲＣ接続解放メッセージ）で、もしくは、ＲＡＴ間セルの（再）選択でもう一方のＲＡＴから引き継ぐことによって、端末装置に提供されるかもしれない。システムインフォメーションの場合、ＥＵＴＲＡＮ周波数もしくはＲＡＴ間周波数は優先事項を提供することなしにリスト化される。
【０１４７】
専用シグナリングで優先事項が提供されたとすれば、端末装置は、システムインフォメーションで提供された優先事項をすべて無視する。端末装置がいずれかのセルにキャンプされた状態であるならば、端末装置は、現在のセル（現在接続しているセル）からのシステムインフォメーションによって提供された優先事項を適用するだけである。そして、特に規定がなければ、端末装置は、専用シグナリングやＲＲＣ接続削除メッセージによって提供された優先事項を保持する。
【０１４８】
通常のキャンプ状態である端末装置が現在の周波数に対する以外の個別の優先事項を有する時、端末装置は、現在の周波数をより優先度の低い周波数である（つまり、８つのネットワーク設定値よりも低い）とみなす。
【０１４９】
端末装置が適切なＣＳＧセルにキャンプしている間、現在の周波数に割り当てられた何か他の優先値に係らず、端末装置は常に現在の周波数を最も優先度の高い周波数である（つまり、８つのネットワーク設定値よりも高い）とみなす。
【０１５０】
端末装置がＲＲＣ接続状態に入る時、または、専用の優先事項の任意の有効性時間に関するタイマー（Ｔ３２０）が満了する時、または、ＰＬＭＮ選択がＮＡＳによる要求に応じて行なわれる時、端末装置は、専用シグナリングによって提供された優先事項を削除する。
【０１５１】
端末装置は、システムインフォメーションで与えられた、および、端末装置が提供された優先度を有するＥＵＴＲＡＮ周波数もしくはＲＡＴ間周波数に対して、セル再選択推定を行なうだけである。
【０１５２】
端末装置は、セル再選択の候補として、ブラックリスト化されたセルを考慮しない。
【０１５３】
端末装置は、専用シグナリングによって提供された優先事項および継続有効性時間を引き継ぐ。
【０１５４】
端末装置が手動のＣＳＧ選択をサポートしている場合、ＮＡＳの要求に応じて、ＡＳは利用可能なＣＳＧを見つけるために、その機能情報に応じたＥＵＴＲＡオペレーティングバンド内のすべてのＲＦチャネルをスキャンする。各キャリアにおいて、端末装置は、少なくとも最も強いセルを探索し、そのシステムインフォメーションを読み取り、ＮＡＳにＰＬＭＮと“ＨＮＢ（Home Node B）ネーム”（報知されるとすれば）とともに利用可能なＣＳＧ−ＩＤを報告する。
【０１５５】
ＮＡＳがＣＳＧを選択し、ＡＳにこの選択を提供したとすれば、端末装置は、キャンプするために選択されたＣＳＧに属する条件を満たすセルまたは適切なセルを探索する。
【０１５６】
標準セル再選択に加え、端末装置は、ＰＬＭＨ識別子に関連した少なくとも１つのＣＳＧ−ＩＤが端末装置のＣＳＧホワイトリストに含まれている時に、少なくとも以前訪れた（アクセスした）ＣＳＧメンバーセルを検出するために、特性要求条件に応じて非サービング周波数、ＲＡＴ間周波数における自律探索機能を用いてもよい。セルを探索するために、端末装置はさらにサービング周波数における自律探索機能を用いてもよい。端末装置のＣＳＧホワイトリストが空になっているとすれば、端末装置はＣＳＧセルに対する自律探索機能を無効にする。ここで、端末装置の実装毎の自律探索機能はＣＳＧメンバーセルを探索するための時間と場所を決定する。
【０１５７】
端末装置は、異なる周波数において、１つ以上の適切なＣＳＧセルを検出するとすれば、その関連したＣＳＧセルがその周波数において最も順位の高いセルであるとすれば、端末装置が現在キャンプしているセルの周波数優先度に係らず、検出したセルの１つを再選択する。
【０１５８】
端末装置は、同じ周波数において適切なＣＳＧセルを検出すると、標準セル再選択ルールに基づいて、このセルを再選択する。
【０１５９】
端末装置は、他のＲＡＴにおいて、１つ以上のＣＳＧセルを検出すると、端末装置は特定のルールに基づいて、それらのうちの１つを再選択する。
【０１６０】
適切なＣＳＧセルにキャンプしている間、端末装置は標準セル再選択を適用する。
【０１６１】
非サービング周波数において適切なＣＳＧセルを探索するために、端末装置は自律探索機能を用いるかもしれない。端末装置は、非サービング周波数においてＣＳＧセルを検出すると、端末装置はそれがその周波数における最も順位の高いセルであるとすれば、検出したＣＳＧセルを再選択するかもしれない。
【０１６２】
端末装置は、他のＲＡＴにおいて１つ以上のＣＳＧセルを検出すると、特定のルールに基づいて許可されているとすれば、端末装置は、それらのうちの１つを再選択するかもしれない。
【０１６３】
標準セル再選択ルールに加え、端末装置は、ＣＳＧ−ＩＤと関連するＰＬＭＮ識別子が特性要求条件に応じたＣＳＧホワイトリストにある少なくとも以前訪れたハイブリッドセルを検出するために自律探索機能を用いる。端末装置は、ハイブリッドセルのＣＳＧ−ＩＤと関連するＰＬＭＮ識別子がＣＳＧホワイトリストにあるとすれば、検出したハイブリッドセルをＣＳＧセルとして扱い、それ以外は標準セルとして扱う。
【０１６４】
正常なキャンプ状態である時、端末装置は、以下のタスク（Ｂ１）〜（Ｂ４）を行なう。
【０１６５】
（Ｂ１）端末装置は、システムインフォメーションで送信された情報に応じて、そのセルの指示されたページングチャネルを選択し、モニタする。
【０１６６】
（Ｂ２）端末装置は、関連するシステムインフォメーションをモニタする。
【０１６７】
（Ｂ３）端末装置は、セル再選択推定手順に対して必要な測定を行なう。
【０１６８】
（Ｂ４）端末装置は、端末装置内部のトリガーおよび／またはセル再選択推定手順に対して用いられたＢＣＣＨ（Broadcast Control Channel）の情報が変更された時、セル再選択推定手順を実行する。
【０１６９】
接続モードからアイドルモードへ遷移すると、端末装置は、リダイレクトしたキャリアに関する情報（redirectedCarrierInfo）がＲＲＣ接続解放メッセージに含まれているとすれば、その情報に応じて適切なセルへキャンプしようと試みる。端末装置は、適切なセルを見つけることができなければ、指示されたＲＡＴのいずれかの適切なセルにキャンプすることを許可される。ＲＲＣ接続解放メッセージがリダイレクトしたキャリアに関する情報を含んでいないとすれば、端末装置は、ＥＵＴＲＡキャリアにおいて適切なセルを選択しようと試みる。適切なセルが見つけられなければ、端末装置は、キャンプするための適切なセルを見つけるために、保持情報セル選択手順を用いてセル選択を開始する。
【０１７０】
端末装置がいずれかのセルにキャンプした状態から接続モードに移行した後、アイドルモードに再調整されると、端末装置は、リダイレクトしたキャリアに関する情報がＲＲＣ接続解放メッセージに含まれているとすれば、リダイレクトしたキャリアに関する情報に応じて許容可能なセルにキャンプしようと試みる。ＲＲＣ接続解放メッセージがリダイレクトしたキャリアに関する情報を含んでいないとすれば、端末装置は、ＥＵＴＲＡキャリアにおいて許容可能なセルを選択しようと試みる。許容可能なセルを見つけられなければ、端末装置はいずれかのセル選択状態において、いずれかのＰＬＭＮの許容可能なセルを探索し続ける。いずれかのセル選択状態において、いずれかのセルにキャンプしていない端末装置は、許容可能なセルを見つけるまでこの状態を継続する。
【０１７１】
いずれかのセルにキャンプした状態であれば、端末装置は、以下のタスク（Ｃ１）〜（Ｃ６）を行なう。
【０１７２】
（Ｃ１）端末装置は、システムインフォメーションで送信された情報に応じて、そのセルの指示されたページングチャネルを選択し、モニタする。
【０１７３】
（Ｃ２）端末装置は、関連するシステムインフォメーションをモニタする。
【０１７４】
（Ｃ３）端末装置は、セル再選択推定手順に対して必要な測定を行なう。
【０１７５】
（Ｃ４）端末装置は、端末装置内部のトリガーおよび／またはセル再選択推定手順に対して用いられたＢＣＣＨ（Broadcast Control Channel）の情報が変更された時、セル再選択推定手順を実行する。
【０１７６】
（Ｃ５）端末装置は、定期的に端末装置によってサポートされたすべてのＲＡＴのすべての周波数を試みて適切なセルを見つける。適切なセルが見つかれば、端末装置は正常にキャンプした状態に移行する。
【０１７７】
（Ｃ６）端末装置が音声サービスをサポートし、現在のセルがシステムインフォメーションで指示された緊急通話をサポートしていないとすれば、且つ、適切なセルが見つからなければ、端末装置は、現在のセルからのシステムインフォメーションで提供された優先事項に係らず、サポートされたＲＡＴの許容可能なセルに対してセル選択／再選択を行なう。
【０１７８】
端末装置は、ＩＭＳ（IP Multimedia Subsystem）緊急通話を開始できないセルへのキャンプを防ぐために周波数内のＥＵＴＲＡＮセルへ再選択を行なわないことを許可する。
【０１７９】
端末装置は、ＰＬＭＮ選択およびセル選択を行なった後、セルにキャンプすることによって、端末装置の状態（ＲＲＣアイドル（アイドルモード）、ＲＲＣ接続（接続モード））に係らず、ＭＩＢやＳＩＢ１などのシステムインフォメーションやページング情報を受信できるようになる。ランダムアクセスを行なうことによって、ＲＲＣ接続要求を送信することができる。
【０１８０】
アイドルモードの端末装置におけるランダムアクセス手順は、上位層（Ｌ２／Ｌ３）がランダムアクセスプリアンブル送信を指示する。物理層（Ｌ１）はその指示に基づいてランダムアクセスプリアンブルを送信する。Ｌ１において、ＡＣＫであれば、つまり、基地局装置からランダムアクセスレスポンスを受信する。Ｌ２／Ｌ３がＬ１からその指示を受けたとすれば、Ｌ２／Ｌ３はＲＲＣ接続要求を送信することをＬ１へ指示する。端末装置は、基地局装置（キャンプしているセル、ＥＵＴＲＡＮ、ＰＬＭＮ）に対してＲＲＣ接続要求（ＲＲＣ接続要求に関連するＲＲＣメッセージがマップされたＵＬ−ＳＣＨに対応するＰＵＳＣＨ）を送信する。基地局装置は、それを受信すると、ＲＲＣ接続セットアップ（ＲＲＣ接続セットアップに関連するＲＲＣメッセージがマップされたＤＬ−ＳＣＨに関連するＰＤＣＣＨおよびＰＤＳＣＨ）を端末装置に送信する。端末装置は、Ｌ２／Ｌ３でＲＲＣ接続セットアップを受信すると、接続モードに入る。端末装置のＬ２／Ｌ３は、ＲＲＣ接続セットアップ完了の送信をＬ１に指示すると、その手順は終了する。Ｌ１は、基地局装置に、ＲＲＣ接続セットアップ完了（ＲＲＣ接続セットアップ完了に関連するＲＲＣメッセージがマップされたＵＬ−ＳＣＨに対応するＰＵＳＣＨ）を送信する。
【０１８１】
アイドルモードのＭＴＣ端末は、ランダムアクセス手順による初期アクセスが完了するまで、または、ＲＲＣ接続が確立するまで、または、ランダムアクセスレスポンスグラントに対応するＵＬ−ＳＣＨを用いてＭＴＣ機能をサポートしていることを示すまで、ＭＩＢに示された下りリンク送信帯域幅でＰＤＣＣＨをモニタしてもよい。
【０１８２】
アイドルモードのＭＴＣ端末は、ランダムアクセス手順による初期アクセスを行なう時に、ＭＴＣ端末であることを示す系列を選択し、その系列のランダムアクセスプリアンブルを送信してもよい。基地局装置は、そのランダムアクセスプリアンブルを受信すると、ＭＴＣ端末のアクセスを許可するのであれば、ＭＩＢのスペアビットにＭＴＣ端末に対する下りリンクリソース割り当てをセットしてもよい。ＭＴＣ端末はそのリソースから、ランダムアクセスレスポンスに対応するＰＤＣＣＨを検出し、初期アクセスを完了し、初期ＲＲＣ接続を確立する。
【０１８３】
アイドルモードの端末装置は、電力消費を低減するために、ＤＲＸ（Discontinuous Reception）を用いてページングメッセージの受信を行なうかもしれない。ＰＯ（Paging Occasion）はページングメッセージにアドレスするＰＤＣＣＨが送信されたＰ−ＲＮＴＩがあるサブフレームである。ＰＦ（Paging Frame）は１つまたは複数のＰＯを含む無線フレームである。ＤＲＸが用いられている時、端末装置は、ＤＲＸサイクル毎に１つのＰＯをモニタする必要がある。ＰＯとＰＦは、システムインフォメーションで提供されるＤＲＸパラメータを用いて決定される。ＤＲＸパラメータの値がシステムインフォメーションにおいて変更されている時は、端末装置において保持されたＤＲＸパラメータは局所的に更新される。端末装置がＩＭＳＩ（International Mobile Subscriber Identity）を持っていないとすれば、ＵＳＩＭ（Universal Subscriber Identity Module）のない緊急通話を行なう時、端末装置はＰＦにおいてデフォルト識別子（ＵＥ＿ＩＤ＝０）とｉ＿ｓを用いる。つまり、ＰＣＨ（ページング情報）は、所定の無線フレームの所定のサブフレームにおけるＰＤＣＣＨを用いて通知される。
【０１８４】
アイドルモードのＭＴＣ端末は、ＭＩＢでＭＴＣ端末に対するＰＤＣＣＨの設定に関する情報、または、下りリンクリソース割り当てに関する情報を検出できなければ、ＰＬＭＮ再選択やセル再選択を行なう。
【０１８５】
カテゴリー０を示している端末装置は、１つのＴＴＩで、Ｃ−ＲＮＴＩ（Cell RNTI）／ＳＰＳ（Semi-Persistent Scheduling）  Ｃ−ＲＮＴＩ／Ｐ−ＲＮＴＩ／ＳＩ−ＲＮＴＩ／ＲＡ−ＲＮＴＩ（Random Access RNTI）に関連するトランスポートブロックに対して１０００ビットを受信することができる。また、カテゴリー０を示している端末装置は、１つのＴＴＩで、Ｐ−ＲＮＴＩ／ＳＩ−ＲＮＴＩ／ＲＡ−ＲＮＴＩに関連する他のトランスポートブロックに対して２２１６ビットまで受信することができる。
【０１８６】
ＵＥカテゴリー０に対する要求条件は、ＵＥカテゴリー０とシングルアンテナ受信部を仮定することに起因する。このような条件をＵＥカテゴリー０適用可能性と称する。
【０１８７】
カテゴリー０端末は、ＰＣｅｌｌの下りリンク無線リンク品質を検出するために、ＣＲＳに基づく下りリンク品質をモニタする。
【０１８８】
カテゴリー０端末は、下りリンク無線リンク品質を推定し、ＰＣｅｌｌの下りリンク無線リンク品質をモニタリングするために２つの閾値（Qout_Cat0とQin_Cat0）と推定値を比較する。
【０１８９】
閾値Ｑｏｕｔ＿Ｃａｔ０は、下りリンク無線リンクが確実に受信されることができない、送信パラメータを伴うＰＣＦＩＣＨエラーを考慮して仮定したＰＤＣＣＨ送信の１０％ブロックエラーレートに相当するレベルとして定義されている。
【０１９０】
閾値Ｑｉｎ＿Ｃａｔ０は、下りリンク無線リンクが閾値Ｑｏｕｔ＿Ｃａｔ０よりもかなり確実に受信されることができ、送信パラメータを伴うＰＣＦＩＣＨエラーを考慮して仮定したＰＤＣＣＨ送信の２％ブロックエラーレートに相当する。
【０１９１】
例えば、ＵＥカテゴリー０に対する同期外（out-of-sync）に対するＰＤＣＣＨ／ＰＣＦＩＣＨ送信パラメータは、ＤＣＩフォーマット１Ａで、ＰＤＣＣＨのＯＦＤＭシンボルの数は帯域幅に基づいて決定される。帯域幅が１０ＭＨｚ以上の場合、ＯＦＤＭシンボル数は２シンボルである。帯域幅が３ＭＨｚ以上１０ＭＨｚ未満の場合、ＯＦＤＭシンボル数は３シンボルである。帯域幅が１．４ＭＨｚの場合、ＯＦＤＭシンボル数は４シンボルである。ＰＤＣＣＨのアグリゲーションレベルは、帯域幅が１．４ＭＨｚの場合、４であり、帯域幅が３ＭＨｚ以上の場合、８である。ＰＤＣＣＨのＲＥエネルギー（EPRE: Energy Per Resource Element）とＲＳの平均ＲＥエネルギーの比は、ＰＣｅｌｌのＣＲＳのアンテナポートの数に因らず、４ｄＢである。ＰＣＦＩＣＨのＲＥエネルギーとＲＳの平均ＲＥエネルギーの比は、ＣＲＳのアンテナポートの数が１アンテナポートの場合、４ｄＢであり、ＰＣｅｌｌのＣＲＳのアンテナポートの数が２または４アンテナポートの場合、１ｄＢである。
【０１９２】
例えば、ＵＥカテゴリー０に対する同期内（in-sync）に対するＰＤＣＣＨ／ＰＣＦＩＣＨ送信パラメータは、ＤＣＩフォーマット１Ｃで、ＰＤＣＣＨのＯＦＤＭシンボルの数は帯域幅に基づいて決定される。帯域幅が１０ＭＨｚ以上の場合、ＯＦＤＭシンボル数は２シンボルである。帯域幅が３ＭＨｚ以上１０ＭＨｚ未満の場合、ＯＦＤＭシンボル数は３シンボルである。帯域幅が１．４ＭＨｚの場合、ＯＦＤＭシンボル数は４シンボルである。ＰＤＣＣＨのアグリゲーションレベルは、４である。ＰＤＣＣＨのＲＥエネルギーとＲＳの平均ＲＥエネルギーの比は、ＣＲＳのアンテナポートの数に因らず、１ｄＢである。ＰＣＦＩＣＨのＲＥエネルギーとＲＳの平均ＲＥエネルギーの比は、ＰＣｅｌｌのＣＲＳのアンテナポートの数が１アンテナポートの場合、４ｄＢであり、ＰＣｅｌｌのＣＲＳのアンテナポートの数が２または４アンテナポートの場合、１ｄＢである。
【０１９３】
端末装置と基地局装置は、キャリア・アグリゲーションによって複数の異なる周波数バンド（周波数帯）の周波数（コンポーネントキャリア、または、周波数帯域）を集約（アグリゲート）して一つの周波数（周波数帯域）のように扱う技術を適用してもよい。コンポーネントキャリアには、上りリンク（上りリンクセル）に対応する上りリンクコンポーネントキャリアと、下りリンク（下りリンクセル）に対応する下りリンクコンポーネントキャリアとがある。本発明の各実施形態において、周波数と周波数帯域は同義的に使用され得る。
【０１９４】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、すべてまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【０１９５】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【０１９６】
また、後方互換性のないコンポーネントキャリア（キャリアタイプ）を集約してもよい。なお、基地局装置が端末装置に割り当てる（設定する、追加する）上りリンクコンポーネントキャリアの数は、下りリンクコンポーネントキャリアの数と同じか少ないことが望ましい。
【０１９７】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、ＰＣｅｌｌと称される。また、ＰＣｅｌｌ以外のコンポーネントキャリアから構成されるセルは、ＳＣｅｌｌと称される。端末装置は、ＰＣｅｌｌでページングメッセージの受信、報知情報の更新の検出、初期アクセス手順、セキュリティ情報の設定などを行なう一方、ＳＣｅｌｌではこれらを行なわなくてもよい。
【０１９８】
ＰＣｅｌｌは活性化（Activation）および不活性化（Deactivation）の制御の対象外であるが（つまり必ず活性化しているとみなされる）、ＳＣｅｌｌは活性化および不活性化という状態（state）を持ち、これらの状態の変更は、基地局装置から明示的に指定されるほか、コンポーネントキャリア毎に端末装置に設定されるタイマーに基づいて状態が変更される。ＰＣｅｌｌとＳＣｅｌｌとを合わせてサービングセル（在圏セル）と称する。
【０１９９】
なお、キャリア・アグリゲーションは、複数のコンポーネントキャリア（周波数帯域）を用いた複数のセルによる通信であり、セル・アグリゲーションとも称される。なお、端末装置は、周波数毎に中継局装置（またはリピーター）を介して基地局装置と無線接続（ＲＲＣ接続）されてもよい。すなわち、本実施形態の基地局装置は、中継局装置に置き換えることができる。
【０２００】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルはサービングセルであり、その他の通信に使用されないセルは周辺セルと称される。
【０２０１】
言い換えると、キャリア・アグリゲーションにおいて、設定された複数のサービングセルは、１つのＰＣｅｌｌと１つまたは複数のＳＣｅｌｌとを含む。
【０２０２】
ＰＣｅｌｌは、初期コネクション確立手順（RRC Connection establishment procedure）が行なわれたサービングセル、コネクション再確立手順（RRC Connection reestablishment procedure）を開始したサービングセル、または、ハンドオーバ手順においてＰＣｅｌｌと指示されたセルである。ＰＣｅｌｌは、プライマリ周波数でオペレーションする。コネクションが（再）確立された時点、または、その後に、ＳＣｅｌｌが設定されてもよい。ＳＣｅｌｌは、セカンダリ周波数でオペレーションする。なお、コネクションは、ＲＲＣコネクションと称されてもよい。ＣＡをサポートしている端末装置に対して、１つのＰＣｅｌｌと１つ以上のＳＣｅｌｌで集約されてもよい。
【０２０３】
端末装置は、１つよりも多いサービングセルが設定されるか、セカンダリセルグループが設定されるとすれば、各サービングセルに対して、少なくとも所定の数のトランスポートブロックに対して、トランスポートブロックのコードブロックのデコーディング失敗に応じて、少なくとも所定の範囲に相当する受信したソフトチャネルビットを保持する。
【０２０４】
ＭＴＣ端末は、１つの無線アクセス技術（ＲＡＴ）だけサポートしてもよい。
【０２０５】
また、ＭＴＣ端末は、１つのオペレーティングバンドのみをサポートしてもよい。つまり、ＭＴＣ端末は、キャリア・アグリゲーションに関する機能をサポートしなくてもよい。
【０２０６】
また、ＭＴＣ端末は、ＴＤＤ（Time Division Duplex）やＨＤ−ＦＤＤ（Half Duplex Frequency Division Duplex）のみをサポートしてもよい。つまり、ＭＴＣ端末は、ＦＤ−ＦＤＤ（Full Duplex FDD）をサポートしなくてもよい。ＭＴＣ端末は、どのデュプレックスモード／フレーム構造タイプをサポートしているかを、機能情報などの上位層シグナリングを介して示してもよい。
【０２０７】
また、ＭＴＣ端末は、カテゴリー０またはカテゴリー１のＬＴＥ端末であってもよい。つまり、ＭＴＣ端末は、１つのＴＴＩ（Transmission Time Interval）で送信／受信可能なトランスポートブロックの最大ビット数は制限されてもよい。例えば、１ＴＴＩ当たりの最大ビット数は、１０００ビットに制限されてもよい。ＬＴＥでは、１ＴＴＩは１サブフレームに相当する。
【０２０８】
なお、本発明の各実施形態において、ＴＴＩとサブフレームは同義である。
【０２０９】
また、ＭＴＣ端末は、１つのデュプレックスモード／フレーム構造タイプのみサポートしてもよい。
【０２１０】
フレーム構造タイプ１は、ＦＤ−ＦＤＤとＨＤ−ＦＤＤの両方に対して適用できる。ＦＤＤでは、各１０ｍｓ間隔で、下りリンク送信と上りリンク送信のそれぞれに対して１０サブフレームずつ利用できる。また、上りリンク送信と下りリンク送信は、周波数領域で分けられる。ＨＤ−ＦＤＤオペレーションにおいて、端末装置は、同時に送信と受信はできないが、ＦＤ−ＦＤＤオペレーションにおいてはその制限がない。
【０２１１】
また、ＭＴＣ端末は、下りリンクおよび上りリンクにおいて１．４ＭＨｚなどの狭帯域幅のみがサポートされてもよい。つまり、ＭＴＣ端末は、２０ＭＨｚなどの広帯域幅で通信しなくてもよい。
【０２１２】
利用できる帯域幅が制限されるＭＴＣ端末は、何れのシステム帯域幅であってもオペレーションされてもよい。例えば、帯域幅が１．４ＭＨｚだけサポートしているＭＴＣ端末に対するスケジューリングは、システム帯域幅が２０ＭＨｚのオペレーティングバンドにおいても行なわれてもよい。
【０２１３】
また、ＭＴＣ端末は、下りリンクおよび上りリンクにおいて、１つのＲＦ部／ベースバンド部のみ（例えば、１．４ＭＨｚ  ＲＦ帯域幅）をサポートしてもよい。
【０２１４】
基地局装置は、ＭＴＣをサポートしている端末（ＭＴＣ端末）とＭＴＣをサポートしていない端末（非ＭＴＣ端末）とでＦＤＭできるように制御／スケジュールしてもよい。つまり、ＭＴＣ端末に対する無線リソース割り当てなどのスケジューリングは、非ＭＴＣ端末に対する無線リソース割り当てなどのスケジューリングを考慮して行なわれる。
【０２１５】
周波数ホッピングや使用周波数が変更された際の、再チューニング時間は上位層シグナリングによって設定されてもよい。
【０２１６】
ＭＴＣ端末に対する送信電力は低減されてもよい。パワークラスなどは、ＭＴＣ端末専用に設定されてもよい。
【０２１７】
例えば、ＭＴＣ端末において、サポートする下りリンク送信モード（ＰＤＳＣＨ送信モード）の数は削減されてもよい。つまり、基地局装置は、ＭＴＣ端末から機能情報として、下りリンク送信モードの数、または、そのＭＴＣ端末がサポートしている下りリンク送信モードが示された場合には、その機能情報に基づいて、下りリンク送信モードを設定する。なお、ＭＴＣ端末は、自身がサポートしてない下りリンク送信モードに対するパラメータが設定された場合、その設定を無視してもよい。つまり、ＭＴＣ端末は、サポートしていない下りリンク送信モードに対する処理を行なわなくてもよい。ここで、下りリンク送信モードは、設定された下りリンク送信モードやＲＮＴＩの種類、ＤＣＩフォーマット、サーチスペースに基づいて、ＰＤＣＣＨ／ＥＰＤＣＣＨに対応するＰＤＳＣＨの送信方式を示すために用いられる。端末装置は、それらの情報に基づいて、ＰＤＳＣＨが、アンテナポート０で送信されるのか、送信ダイバーシティで送信されるのか、複数のアンテナポートで送信されるのか、などが分かる。端末装置は、それらの情報に基づいて、受信処理を適切に行なうことができる。同じ種類のＤＣＩフォーマットからＰＤＳＣＨのリソース割り当てに関するＤＣＩを検出しても、下りリンク送信モードやＲＮＴＩの種類が異なる場合には、そのＰＤＳＣＨは、同じ送信方式で送信されるとは限らない。
【０２１８】
また、ＭＴＣ端末において、従来のＬＴＥ端末より、下りリンクおよび上りリンクにおける処理の負担が軽減されてもよい。
【０２１９】
例えば、ＭＴＣ端末において、サポートされるユニキャストおよびブロードキャストシグナリングに対する最大トランスポートブロックサイズは低減されてもよい。また、下りリンク信号の同時に受信可能な数は低減されてもよい。また、制限された変調方式を含む、送信および受信のＥＶＭ（Error Vector magnitude）要求条件は緩和されてもよい。物理制御チャネル処理が低減されてもよい（例えば、ブラインドデコーディング数の低減など）。また、物理データチャネル処理が低減されてもよい（例えば、下りリンクＨＡＲＱタイムラインの緩和やＨＡＲＱプロセスの数の低減など）。
【０２２０】
また、ＭＴＣ端末において、サポートするＣＱＩ／ＣＳＩ報告モードの数は削減されてもよい。つまり、基地局装置は、ＭＴＣ端末から機能情報として、ＣＱＩ／ＣＳＩ報告モードの数、または、そのＭＴＣ端末がサポートしているＣＱＩ／ＣＳＩ報告モードが示された場合には、その機能情報に基づいて、ＣＱＩ／ＣＳＩ報告モードを設定してもよい。また、ＭＴＣ端末は、自身がサポートしていないＣＱＩ／ＣＳＩ報告モードに対するパラメータが設定された場合、その設定を無視してもよい。つまり、ＭＴＣ端末は、サポートしていないＣＱＩ／ＣＳＩ報告モードに対する処理を行なわなくてもよい。
【０２２１】
ＭＴＣ端末において、電力消費を削減するために、カバレッジを拡張（改善）するための技術が適用されてもよい。これらの技術は、ＦＤＤおよびＴＤＤのどちらにも適用されてもよい。
【０２２２】
カバレッジ拡張技術として、物理データチャネル（例えば、ＰＤＳＣＨ、ＰＵＳＣＨ）に対するＨＡＲＱを伴うサブフレームバンドリング技術が含まれてもよい。
【０２２３】
また、カバレッジ拡張技術として、制御チャネル（例えば、ＰＣＦＩＣＨ、ＰＤＣＣＨ）の使用が制限されてもよい。
【０２２４】
また、カバレッジ拡張技術として、制御チャネル（例えば、ＰＢＣＨ、ＰＲＡＣＨ、ＰＤＣＣＨ／ＥＰＤＣＣＨ）に対する繰り返し技術が含まれてもよい。ここで、繰り返し技術とは、例えば、物理チャネル／物理信号にマップされたデータ（ＵＬ−ＳＣＨデータやＤＬ−ＳＣＨデータ、ユーザデータや制御データなど）が送信毎（送信サブフレーム毎、ＴＴＩ毎）に変えずに送信することである。つまり、同じデータがマップされた物理チャネル／物理信号を所定の回数だけ送信することを意味する。それに対して、バンドリングは、送信毎に、マップするデータを変えてもよい。なお、繰り返し技術において、受信処理として受信信号の加算処理を行なうことによって受信精度を向上することができる。
【０２２５】
また、カバレッジ拡張技術として、ＰＢＣＨやＰＨＩＣＨ、ＰＵＣＣＨに対して、制限または繰り返し技術が含まれてもよい。
【０２２６】
また、カバレッジ拡張技術として、１ＰＲＢ（Physical Resource Block）よりも狭い帯域幅（例えば、０．５ＰＲＢ）をサポートすることによるパワーブーストがサポートされてもよい。つまり、電力密度が向上することがサポートされてもよい。
【０２２７】
また、カバレッジ拡張技術として、クロスキャリアスケジューリングと繰り返しを伴うＥＰＤＣＣＨを用いるリソース割り当てが含まれてもよい。また、ＥＰＤＣＣＨのないオペレーションが考慮されてもよい。
【０２２８】
また、カバレッジ拡張技術として、ＳＩＢ（System Information Block）／ＲＡＲ（Random Access Response）／ページングに対する新しい物理チャネルフォーマットが含まれてもよい。ＲＡＲやページング（ＰＣＨ）に関する情報は、あるＲＮＴＩでスクランブルされたＣＲＣを伴うＰＤＣＣＨ（ＤＣＩフォーマット）で示されたＤＬ−ＳＣＨにマップされて送信されるが、カバレッジ拡張に対応するパラメータがＤＣＩとして追加されてもよい。例えば、スクランブルされたＲＮＴＩの種類に応じて、ＤＣＩフォーマットに含まれるＤＣＩフィールドが異なってもよい。繰り返し時間（繰り返し回数）を示すＤＣＩが含まれてもよい。繰り返し時間（繰り返し回数）を示すＤＣＩにセットされる値は、送信する情報に基づいて決定されてもよい。つまり、スクランブルされたＲＮＴＩの種類に応じて、繰り返し時間（繰り返し回数）を示すＤＣＩにセットされる値が決定されてもよいし、繰り返し時間（繰り返し回数）を示すＤＣＩがＤＣＩフォーマットに含まれていなくてもよい。
【０２２９】
また、カバレッジ拡張技術として、チャネル帯域幅やカバレッジ拡張に対応したＳＩＢが含まれてもよい。
【０２３０】
また、カバレッジ拡張技術として、参照シンボルの密度の増加や周波数ホッピング技術がサポートされてもよい。
【０２３１】
また、カバレッジ拡張技術として、ＰＲＡＣＨに対するミス検出の確率の緩和やＰＳＳ／ＳＳＳ／ＰＢＣＨ／ＳＩＢに対する端末−システム間における初期捕捉時間（初期同期時間）は端末への電力消費に対するインパクトが考慮されてもよい。
【０２３２】
また、カバレッジ拡張技術として、必要なカバレッジ拡張の量は、セル毎または端末毎、チャネル毎、チャネルのグループ毎に設定できるようにしてもよい。カバレッジ拡張に対応する測定および報告が定義されてもよい。
【０２３３】
また、カバレッジ拡張技術およびカバレッジ拡張の機能は、ＭＴＣ端末およびＬＴＥ端末それぞれに適用されてもよい。
【０２３４】
物理層制御シグナリング（例えば、ＥＰＤＣＣＨ）や上位層制御シグナリング（例えば、ＳＩＢ、ＲＡＲやページングメッセージ）は、低複雑端末とカバレッジ拡張端末に対して共通した解決法が適用されてもよい。
【０２３５】
標準カバレッジと拡張カバレッジの両方のＵＥカテゴリー／タイプに対して、バッテリー寿命を長くするための電力消費削減方法が適用されてもよい。例えば、実働送受信時間を削減する。制御メッセージを最小限にすることによって繰り返し送受信の数を最小限にする。また、チャネル／信号の変更、改良、再設計、追加・削減が行なわれてもよい。また、測定時間、測定報告、フィードバックシグナリング、システムインフォメーション捕捉、同期捕捉時間などが電力消費削減を行なうために最適化されてもよい。
【０２３６】
ＭＴＣ技術およびカバレッジ拡張技術は、ＨＤ−ＦＤＤおよびＴＤＤに対して最適化されてもよい。
【０２３７】
端末装置が、ＭＴＣおよび／またはカバレッジ拡張の要件を満たす場合、モビリティに関する処理を削減してもよい。
【０２３８】
ＭＴＣ端末は、一定時間、ＰＬＭＮ選択／セル選択のためにＲＦチャネルを探索して、適切なセルを見つけることができなければ、電源を落としてもよい。
【０２３９】
ＭＴＣ端末は、ＲＲＣアイドル状態（アイドルモード）であれば、ＭＩＢを検出できるまで、ＰＢＣＨを受信し、合成し続けてもよい。
【０２４０】
端末装置が、ＰＵＣＣＨとＰＵＳＣＨの同時送信に関する機能をサポートしている場合、且つ、ＰＵＳＣＨの繰り返し送信および／またはＰＵＣＣＨの繰り返し送信に関する機能をサポートしている場合には、ＰＵＳＣＨの送信が生じたタイミングまたはＰＵＣＣＨの送信が生じたタイミングにおいて、ＰＵＣＣＨとＰＵＳＣＨは、所定の回数、繰り返し送信が行なわれてもよい。つまり、同じタイミング（つまり、同じサブフレーム）でＰＵＣＣＨとＰＵＳＣＨの同時送信を行なう。
【０２４１】
このような場合において、ＰＵＣＣＨには、ＣＳＩレポートやＨＡＲＱ−ＡＣＫ、ＳＲが含まれてもよい。
【０２４２】
また、このような場合において、ＰＵＣＣＨの電力密度はＰＵＳＣＨの電力密度より高いので、端末装置は、ＰＵＣＣＨの送信電力を調整するために、所定の電力オフセットを考慮してセットしてもよい。基地局装置において、ＰＵＳＣＨが検出できれば、ＰＵＣＣＨも検出できるので、ＰＵＣＣＨに対して電力を多く割り当てる必要はない。しかし、ＰＵＣＣＨが単独で繰り返し送信される場合には、端末装置は、この所定の電力オフセットを考慮する必要はない。ＰＵＣＣＨが単独で繰り返し送信される場合には、より短いインターバルで基地局装置が検出できることが好ましい。ＰＵＣＣＨの繰り返しの数は、ＰＵＣＣＨとＰＵＳＣＨとの同時送信の場合には、ＰＵＳＣＨの繰り返しの数が適用される。また、ＰＵＣＣＨの繰り返しの数は、ＰＵＣＣＨだけでの送信の場合には、ＰＵＣＣＨに設定された繰り返しの数が適用される。所定のオフセットもＰＵＳＣＨとの同時送信が行なわれるか否かで適用されるか否かが決定されてもよい。端末装置に対して繰り返しの数が設定される場合には、すべての物理チャネルの繰り返し送信はその数に基づいて行なわれる。
【０２４３】
このような場合において、端末装置は、同じサブフレームでＰＵＣＣＨの送信がＰＵＳＣＨの送信と重複する場合、ＰＵＣＣＨとＰＵＳＣＨの同時送信をサポートしているのであれば、同じサブフレームで、同じ繰り返しの数または繰り返しの期間でＰＵＣＣＨとＰＵＳＣＨの同時送信を行なう。その際、ＰＵＣＣＨの送信電力は、上位層シグナリングによって設定されていれば、電力オフセットを用いてセットされてもよい。また、端末装置は、ＰＵＣＣＨの送信がＰＵＳＣＨの送信と重複しない場合には、電力オフセットを用いないで、ＰＵＣＣＨの送信電力をセットする。基地局装置は、ＭＴＣ端末のアクセスを許可するセルにおいて、ＰＵＣＣＨとＰＵＳＣＨの同時送信をサポートしていることが示されたとすれば、ＰＵＳＣＨと同じタイミングでＰＵＣＣＨが送信されると仮定し、受信処理を行なう。ＰＵＣＣＨとＰＵＳＣＨの同時送信をサポートしているＭＴＣ端末に対して、基地局装置は、ＰＵＣＣＨの電力オフセットを、上位層シグナリングを用いて設定してもよい。
【０２４４】
また、このような場合において、ＰＵＣＣＨの送信電力は、ＰＵＳＣＨに対する送信電力制御コマンドを用いた電力制御調整値に基づいてセットされてもよい。つまり、ＰＵＣＣＨに対する送信電力制御コマンドを用いた電力制御調整値を考慮しなくてもよい。ただし、特に規定がなければ、ＰＵＳＣＨとＰＵＣＣＨが同じサブフレームで同じ回数、繰り返し送信が行なわれる場合であっても、それぞれの送信電力のセッティングに用いられる電力制御調整値は個別に設定されてもよい。つまり、基地局装置から、上位層シグナリングを用いて、同じ電力制御調整値を用いることを指示された場合には、同じ電力制御調整値を用いてＰＵＳＣＨとＰＵＣＣＨの送信電力をセットする。ＰＵＳＣＨとＰＵＣＣＨが個別に繰り返し送信される場合、それぞれの電力制御調整値を用いて送信電力をセットする。さらに、ＳＲＳが同じサブフレームで繰り返し送信される場合には、同じ電力制御調整値を用いて、その送信電力をセットしてもよい。
【０２４５】
スペアビットにＭＴＣ端末に対するパラメータ（情報）が設定されたＭＩＢとＭＴＣ端末に対するパラメータ（情報）が設定されていないＭＩＢは必ずしも同じＭＩＢとして取り扱わなくてもよい。例えば、スペアビットにＭＴＣ端末に対するパラメータ（情報）が設定されていないＭＩＢをＭＩＢタイプＡとし、スペアビットにＭＴＣ端末に対するパラメータ（情報）が設定されたＭＩＢタイプＢとすると、ＭＩＢタイプＡは４０ｍｓ間隔で送信されるが、ＭＩＢタイプＢは２０ｍｓ間隔で送信されてもよい。ＭＩＢタイプＡとＭＩＢタイプＢが配置されるＰＢＣＨサブフレームおよびＰＢＣＨ無線フレームは、異なるサブフレームおよび無線フレームであってもよい。ＬＴＥ端末は、ＭＩＢタイプＡのみを受信するが、ＭＴＣ端末はＭＩＢタイプＡおよびＭＩＢタイプＢを受信してもよい。
【０２４６】
スペアビットにＭＴＣ端末に対するパラメータ（情報）が設定されたＭＩＢは、上述したＰＢＣＨの周期でだけでなく、別の周期で送信されてもよい。つまり、スペアビットにＭＴＣ端末に対するパラメータ（情報）が設定されたＭＩＢは２つのサブフレームセットで送信されてもよい。つまり、ＬＴＥ端末は、第１のサブフレームセットのＭＩＢを受信できる。ＭＴＣ端末は、第１のサブフレームセットおよび第２のサブフレームセットのＭＩＢを受信できる。
【０２４７】
ＭＴＣ端末に対するパラメータ（情報）が設定されたＳＩＢ（ＳＩＢ１、ＳＩメッセージ、新しいＳＩＢ）は、上述した周期でだけでなく、別の周期で送信されてもよい。つまり、ＭＴＣ端末に対するパラメータ（情報）が設定されたＳＩＢは２つのサブフレームセットで送信されてもよい。つまり、ＬＴＥ端末は、第１のサブフレームセットのＳＩＢを受信できる。ＭＴＣ端末は、第１のサブフレームセットおよび第２のサブフレームセットのＳＩＢを受信できる。その際、このＳＩＢに対応するＰＤＣＣＨおよび／またはＥＰＤＣＣＨの設定は、ＭＴＣ端末に対応している。つまり、ＭＴＣ端末は、このようなＳＩＢ（ＳＩＢに対応するＤＬ−ＳＣＨ）が、ＭＴＣ端末がサポートしていない下りリンク帯域幅のＰＤＣＣＨ／ＥＰＤＣＣＨで送信されることを期待しない。
【０２４８】
ＭＴＣ端末に対するパラメータ（情報）が設定されたＳＩＢ（ＳＩＢ１、ＳＩメッセージ、新しいＳＩＢ）の変更通知を含むＰＣＨは、上述した周期でだけでなく、別の周期で送信されてもよい。つまり、ＭＴＣ端末に対するパラメータ（情報）が設定されたＳＩＢの変更通知を含むＰＣＨは２つのサブフレームセットで送信されてもよい。つまり、ＬＴＥ端末は、第１のサブフレームセットのＰＣＨを受信できる。ＭＴＣ端末は、第１のサブフレームセットおよび第２のサブフレームセットのＰＣＨを受信できる。その際、このＰＣＨに対応するＰＤＣＣＨおよび／またはＥＰＤＣＣＨの設定は、ＭＴＣ端末に対応している。つまり、ＭＴＣ端末は、このようなＰＣＨが、ＭＴＣ端末がサポートしていない下りリンク帯域幅のＰＤＣＣＨ／ＥＰＤＣＣＨで送信されることを期待しない。
【０２４９】
ＭＴＣ端末がサポートする送信帯域幅が狭い場合（例えば、５ＭＨｚ以下）には、ＥＰＤＣＣＨの送信タイプは、局所配置のみがサポートされてもよい。つまり、ＭＴＣ端末がサポートする送信帯域幅が狭い場合（例えば、５ＭＨｚ以下）には、ＥＰＤＣＣＨの送信タイプは、分散配置を行なわなくてもよい。
【０２５０】
ＭＴＣの機能をサポートしている端末装置（ＭＴＣ端末）は、ＭＴＣの機能をサポートしている端末装置がセルにアクセスすることを許可されたとすれば、そのセルからのＰＢＣＨやＰＤＣＣＨをモニタしてもよい。このような場合において、ＭＩＢ（またはＭＩＢのスペアビット）および／またはＳＩ（システムインフォメーション）メッセージに、ＭＴＣ端末に対するＰＤＣＣＨの設定に関する情報がセットされている場合には、ＭＩＢおよび／またはＳＩメッセージのＰＤＣＣＨの設定に含まれるリソース割り当ておよびサブフレーム番号、ＯＦＤＭシンボル（スタートシンボル）などに基づいてＰＤＣＣＨをモニタする。その際、ＰＤＣＣＨに所定の回数または所定の期間が設定されている場合には、ＭＴＣ端末は、そのＰＤＣＣＨを繰り返し受信し、受信精度を上げてもよい。そのＰ−ＲＮＴＩによってスクランブルされたＣＲＣを伴うそのＰＤＣＣＨを受信するとすれば、ＭＴＣ端末はそのＰＤＣＣＨに含まれるＤＣＩによって示されるＰＣＨからページング情報を取得する。なお、このＰ−ＲＮＴＩは、システムインフォメーションまたは上位層シグナリングを用いて設定される。
【０２５１】
また、このような場合において、ＭＩＢ（またはＭＩＢのスペアビット）および／またはＳＩメッセージに、ＭＴＣ端末に対するＰＤＣＣＨの設定に関する情報がセットされていない場合、且つ、ＥＰＤＣＣＨの設定に関する情報にＰ−ＲＮＴＩの値がセットされている場合には、そのＰ−ＲＮＴＩによってスクランブルされたＣＲＣを伴うそのＥＰＤＣＣＨを受信するとすれば、ＭＴＣ端末はそのＰＤＣＣＨに含まれるＤＣＩによって示されるＰＣＨからページング情報を取得する。なお、このＥＰＤＣＣＨの設定に関する情報は、上位層シグナリングを用いて設定される。
【０２５２】
また、このような場合において、ＭＩＢ（またはＭＩＢのスペアビット）および／またはＳＩメッセージに、ＭＴＣ端末に対するＰＤＣＣＨの設定に関する情報がセットされていない場合、且つ、ＥＰＤＣＣＨの設定に関する情報にＰ−ＲＮＴＩの値がセットされていない場合、且つ、ＭＴＣ端末がＭＩＢおよび／またはＳＩメッセージに設定されている下りリンク送信帯域幅をサポートしている場合には、下りリンク送信帯域幅に割り当てられたＰＤＣＣＨ領域からＰ−ＲＮＴＩによってスクランブルされたＣＲＣを伴うＰＤＣＣＨを受信するとすれば、ＭＴＣ端末はそのＰＤＣＣＨに含まれるＤＣＩによって示されるＰＣＨからページング情報を取得する。なお、このＰ−ＲＮＴＩはデフォルト値または所定の値である。つまり、このＰ−ＲＮＴＩの値は、上位層シグナリングを用いて設定されなくてもよい。
【０２５３】
また、このような場合において、ＭＩＢ（またはＭＩＢのスペアビット）および／またはＳＩメッセージに、ＭＴＣ端末に対するＰＤＣＣＨの設定に関する情報がセットされていない場合、且つ、ＥＰＤＣＣＨの設定に関する情報にＰ−ＲＮＴＩの値がセットされていない場合、且つ、ＭＴＣ端末がＭＩＢおよび／またはＳＩメッセージに設定されている下りリンク送信帯域幅をサポートしていない場合には、ＭＴＣ端末は、その下りリンク送信帯域幅に割り当てられたＰＤＣＣＨ領域からＰＤＣＣＨをモニタしない。ＭＴＣ端末は、サポートしていない帯域幅でＰ−ＲＮＴＩによってスクランブルされたＣＲＣを伴うＰＤＣＣＨをモニタすることができないので、ＰＣＨを検出できない。
【０２５４】
また、このような場合において、基地局装置はページング情報にＭＴＣ端末に係るシステムインフォメーションの変更を行なわなくてもよい。
【０２５５】
ＰＣｅｌｌでは、すべての信号が送受信可能であるが、ＳＣｅｌｌでは、送受信できない信号がある。例えば、ＰＵＣＣＨは、ＰＣｅｌｌでのみ送信される。また、ＰＲＡＣＨは、セル間で、複数のＴＡＧ（Timing Advance Group）が設定されない限り、ＰＣｅｌｌでのみ送信される。また、ＰＢＣＨは、ＰＣｅｌｌでのみ送信される。また、ＭＩＢ（Master Information Block）は、ＰＣｅｌｌでのみ送信される。しかし、端末装置に、ＳＣｅｌｌでＰＵＣＣＨやＭＩＢを送信する機能がサポートされている場合には、基地局装置は、その端末装置に対して、ＰＵＣＣＨやＭＩＢをＳＣｅｌｌで送信することを指示してもよい。つまり、端末装置がその機能をサポートしている場合には、基地局装置は、その端末装置に対して、ＰＵＣＣＨやＭＩＢをＳＣｅｌｌで送信するためのパラメータを設定してもよい。
【０２５６】
ＰＣｅｌｌでは、ＲＬＦ（Radio Link Failure）が検出される。ＳＣｅｌｌでは、ＲＬＦが検出される条件が整ってもＲＬＦが検出されたと認識しない。ＰＣｅｌｌの下位層において、ＲＬＦの条件を満たした場合、ＰＣｅｌｌの下位層は、ＰＣｅｌｌの上位層へＲＬＦの条件が満たされたことを通知する。ＰＣｅｌｌでは、ＳＰＳ（Semi-Persistent Scheduling）やＤＲＸ（Discontinuous Transmission）を行なってもよい。ＳＣｅｌｌでは、ＰＣｅｌｌと同じＤＲＸを行なってもよい。ＳＣｅｌｌにおいて、ＭＡＣの設定に関する情報／パラメータは、基本的に、同じセルグループのＰＣｅｌｌと共有している。一部のパラメータ（例えば、ｓＴＡＧ−Ｉｄ）は、ＳＣｅｌｌ毎に設定されてもよい。一部のタイマーやカウンタが、ＰＣｅｌｌに対してのみ適用されてもよい。ＳＣｅｌｌに対してのみ、適用されるタイマーやカウンタが設定されてもよい。
【０２５７】
図３は、本実施形態に係る基地局装置２のブロック構成の一例を示す概略図である。基地局装置２は、上位層（上位層制御情報通知部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（ＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部／ＨＡＲＱ−ＡＣＫ取得部／ＳＲ取得部）５１１を有する。
【０２５８】
図４は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。また、上りリンクサブフレーム生成部６０９は、上りリンク制御情報生成部（ＵＣＩ生成部）６１０を有する。
【０２５９】
まず、図３および図４を用いて、下りリンクデータの送受信の流れについて説明する。基地局装置２において、制御部５０２は、下りリンクにおける変調方式および符号化率などを示すＭＣＳ（Modulation and Coding Scheme）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部５０３や下りリンクサブフレーム生成部５０４を制御する。上位層５０１から送られてくる下りリンクデータ（下りリンクトランスポートブロック、ＤＬ−ＳＣＨデータ、ＤＬ−ＳＣＨトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Phase Shift Keying）変調やＱＡＭ（Quadrature Amplitude Modulation）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別）ＲＲＣ（Radio Resource Control）シグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨやＥＰＤＣＣＨなどの物理層の下りリンク制御チャネルを生成して下りリンクサブフレーム内のＲＥにマッピングする能力も有することができる。複数の基地局装置は、それぞれ個別の下りリンクサブフレームを送信する。
【０２６０】
端末装置１では、受信アンテナ６０１を介して、ＯＦＤＭ信号受信部６０２においてＯＦＤＭ信号が受信され、ＯＦＤＭ復調処理が施される。
【０２６１】
下りリンクサブフレーム処理部６０３は、まずＰＤＣＣＨやＥＰＤＣＣＨなどの物理層の下りリンク制御チャネルを検出する。より具体的には、下りリンクサブフレーム処理部６０３は、ＰＤＣＣＨやＥＰＤＣＣＨが割り当てられ得る領域においてＰＤＣＣＨやＥＰＤＣＣＨが送信されたものとしてデコードし、予め付加されているＣＲＣ（Cyclic Redundancy Check）ビットを確認する（ブラインドデコーディング）。すなわち、下りリンクサブフレーム処理部６０３は、ＰＤＣＣＨやＥＰＤＣＣＨをモニタリングする。ＣＲＣビットが予め基地局装置から割り当てられたＩＤ（Ｃ−ＲＮＴＩ（Cell-Radio Network Temporary Identifier）、ＳＰＳ−Ｃ−ＲＮＴＩ（Semi-Persistent Scheduling-C-RNTI）など１つの端末に対して１つ割り当てられる端末固有識別子、あるいはＴｅｍｐｏｒａｌｙ  Ｃ−ＲＮＴＩ）と一致する場合、下りリンクサブフレーム処理部６０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。
【０２６２】
制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行なうように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレームから下りリンク参照信号を取り出す。
【０２６３】
トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層制御情報が含まれており、上位層６０７は上位層制御情報に基づいて制御部６０６に必要な物理層パラメータを知らせる。なお、複数の基地局装置２は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、トランスポートブロック抽出部６０５では、トランスポートブロックが正しく検出できたか否かを判定し、判定結果は制御部６０６に送られる。
【０２６４】
ここで、トランスポートブロック抽出部６０５には、バッファ部（ソフトバッファ部）を含んでもよい。バッファ部において、抽出したトランスポートブロックの情報を一時的に記憶することができる。例えば、トランスポートブロック抽出部６０５は、同じトランスポートブロック（再送されたトランスポートブロック）を受信した場合、このトランスポートブロックに対するデータのデコードが成功していないとすれば、バッファ部に一時的に記憶したこのトランスポートブロックに対するデータと新たに受信したデータを結合（合成）し、結合したデータをデコードしようと試みる。バッファ部は、一時的に記憶したデータが必要なくなれば、もしくは、所定の条件を満たせば、そのデータをフラッシュする。フラッシュするデータの条件は、データに対応するトランスポートブロックの種類によって異なる。バッファ部は、データの種類毎に、用意されてもよい。例えば、バッファ部として、メッセージ３バッファやＨＡＲＱバッファが用意されてもよいし、Ｌ１／Ｌ２／Ｌ３などレイヤ毎に用意されてもよい。なお、情報／データをフラッシュするとは、情報やデータが格納されたバッファをフラッシュすることを含む。
【０２６５】
ＭＴＣ端末のバッファ部は、ＭＩＢにＭＴＣ端末に対するＰＤＣＣＨの設定に関する情報が含まれている場合、一時的にその情報をバッファする。同じＴＴＩまたは異なるＴＴＩでＭＩＢ以外にＳＩＢ（ＳＩＢ１およびその他のＳＩメッセージ）を受信することによって、そのバッファ部において、オーバーフローが生じる場合がある。バッファ部においてオーバーフローが生じる場合、ＳＩＢにＭＴＣ端末に対するＰＤＣＣＨの設定に関する情報が含まれていない場合には、ＭＩＢのシステムインフォメーションを保持し、ＳＩＢのシステムインフォメーションをフラッシュする。ただし、ＳＩＢにＭＴＣ端末に対するＰＤＣＣＨの設定に関する情報が含まれている場合には、ＭＩＢとＳＩＢを受信することによってオーバーフローが生じるとすれば、ＳＩＢのシステムインフォメーションを保持し、ＭＩＢのシステムインフォメーションをフラッシュする。ＭＩＢまたはＳＩＢのＭＴＣ端末に対するＰＤＣＣＨの設定に関する情報に基づいて、ＰＣＨを検出することができ、そのＰＣＨにおけるページング情報にＰＤＣＣＨの設定に関する情報が含まれていないとすれば、ＭＩＢまたはＳＩＢとページング情報を受信することによってオーバーフローが生じたとしても、ＭＩＢやＳＩＢに含まれるＭＴＣ端末に対するＰＤＣＣＨの設定に関する情報を優先して保持し、オーバーフローしたページング情報をフラッシュする。ただし、受信したページング情報にＭＴＣ端末に対するＰＤＣＣＨの設定に関する情報を含むＳＩＢの変更通知が含まれているとすれば、ＭＩＢとページング情報を受信することによってオーバーフローが生じる場合には、ページング情報を保持し、ＭＩＢをフラッシュする。例えば、ＭＴＣ端末のバッファ部は、ＭＴＣ端末に対するＰＤＣＣＨの設定に関する情報に基づいてバッファを保持する優先順位を決定する。また、ＭＴＣ端末のバッファ部は、オーバーフローが生じる場合に、ＭＴＣ端末の設定に係るパラメータを含むか否かでフラッシュする情報を決定してもよい。
【０２６６】
アイドルモードのＭＴＣ端末のバッファ部は、オーバーフローが生じると、ＭＴＣ端末の設定に関する情報を優先して保持し、それ以外の情報をフラッシュしてもよい。例えば、ＭＩＢに対してだけＭＴＣ端末の設定に関する情報がセットされているとすれば、バッファ部は、ＭＩＢを保持し、オーバーフローした他の情報をフラッシュしてもよい。また、ＳＩＢに対してだけＭＴＣ端末の設定に関する情報がセットされているとすれば、バッファ部は、ＳＩＢを保持し、オーバーフローした他の情報をフラッシュしてもよい。
【０２６７】
接続モードのＭＴＣ端末のバッファ部は、オーバーフローが生じると、ＭＩＢやＳＩＢ、ＲＲＣメッセージのそれぞれにＭＴＣ端末の設定に関する情報がセットされているとすれば、ＲＲＣメッセージにセットされたＭＴＣ端末の設定に関する情報を保持し、オーバーフローした、それ以外の情報をフラッシュしてもよい。ＭＴＣ端末の設定に関する情報が特定のメッセージにのみセットされている場合には、そのメッセージを優先して保持し、オーバーフローした、それ以外の情報をフラッシュしてもよい。
【０２６８】
アイドルモードおよび接続モードに因らず、ＭＴＣ端末は、特にＰＤＣＣＨの設定に関する情報を優先して保持する。
【０２６９】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部６１０では、算出されたＣＳＩおよび／またはＨＡＲＱ−ＡＣＫを含むＰＵＣＣＨが生成される。上りリンクサブフレーム生成部６０９では、上位層６０７から送られる上りリンクデータを含むＰＵＳＣＨと、上りリンク制御情報生成部６１０において生成されるＰＵＣＣＨとが上りリンクサブフレーム内のＲＢにマッピングされ、上りリンクサブフレームが生成される。
【０２７０】
受信アンテナ５０８を介して、ＳＣ−ＦＤＭＡ信号受信部５０９においてＳＣ−ＦＤＭＡ信号が受信され、ＳＣ−ＦＤＭＡ復調処理が施される。上りリンクサブフレーム処理部５１０では、制御部５０２の指示により、ＰＵＣＣＨがマッピングされたＲＢを抽出し、上りリンク制御情報抽出部５１１においてＰＵＣＣＨに含まれるＣＳＩを抽出する。抽出されたＣＳＩは制御部５０２に送られる。ＣＳＩは、制御部５０２による下りリンク送信パラメータ（ＭＣＳ、下りリンクリソース割り当て、ＨＡＲＱなど）の制御に用いられる。
【０２７１】
基地局装置は、パワーヘッドルームレポートから、端末装置が設定した最大出力電力ＰＣＭＡＸを想定し、端末装置から受信した物理上りリンクチャネルに基づいて、各物理上りリンクチャネルに対する電力の上限値を想定する。基地局装置は、それらの想定に基づいて、物理上りリンクチャネルに対する送信電力制御コマンドの値を決定し、下りリンク制御情報フォーマットを伴うＰＤＣＣＨを用いて、端末装置に送信する。そうすることによって、端末装置から送信される物理上りリンクチャネルの送信電力の電力調整が行なわれる。
【０２７２】
なお、上記実施形態では、各ＰＵＳＣＨ送信に要求される電力値は、上位層により設定されるパラメータ、リソースアサインメントによってそのＰＵＳＣＨ送信に割り当てられたＰＲＢ数によって決まる調整値、下りリンクパスロスおよびそれに乗算される係数、ＵＣＩに適用されるＭＣＳのオフセットを示すパラメータによって決まる調整値、ＴＰＣコマンドに基づく値などに基づいて算出されるものとして説明した。また、各ＰＵＣＣＨ送信に要求される電力値は、上位層により設定されるパラメータ、下りリンクパスロス、そのＰＵＣＣＨで送信されるＵＣＩによって決まる調整値、ＰＵＣＣＨフォーマットによって決まる調整値、そのＰＵＣＣＨの送信に用いられるアンテナポート数によって決まる調整値、ＴＰＣコマンドに基づく値などに基づいて算出されるものとして説明した。しかしながら、これに限るものではない。要求される電力値に対して上限値を設け、上記パラメータに基づく値と上限値（例えば、サービングセルｃにおける最大出力電力値であるＰＣＭＡＸ，ｃ）との間の最小値を、要求される電力値として用いることもできる。
【０２７３】
本発明に関わる基地局装置２、および端末装置１で動作するプログラムは、本発明に関わる上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０２７４】
尚、上述した実施形態における端末装置１、基地局装置２の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２７５】
なお、「コンピュータシステム」とは、端末装置１、または基地局装置２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２７６】
さらに、「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２７７】
また、上述した実施形態における基地局装置２は、複数の装置から構成される集合体（装置グループ）として実現することもできる。装置グループを構成する装置の各々は、上述した実施形態に関わる基地局装置２の各機能または各機能ブロックの一部、または、全部を備えてもよい。装置グループとして、基地局装置２の一通りの各機能または各機能ブロックを有していればよい。また、上述した実施形態に関わる端末装置１は、集合体としての基地局装置と通信することも可能である。
【０２７８】
また、上述した実施形態における基地局装置２は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよい。また、上述した実施形態における基地局装置２は、ｅＮｏｄｅＢに対する上位ノードの機能の一部または全部を有してもよい。
【０２７９】
また、上述した実施形態における端末装置１、基地局装置２の一部、又は全部を典型的には集積回路であるＬＳＩとして実現してもよいし、チップセットとして実現してもよい。端末装置１、基地局装置２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２８０】
また、上述した実施形態では、端末装置もしくは通信装置の一例としてセルラー移動局装置（携帯電話、携帯端末）を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２８１】
以上のことから、本発明は、以下の特徴を有する。
【０２８２】
（１）本発明の一様態による端末装置は、基地局装置と通信する端末装置であって、第１の機能と第２の機能をサポートすることを示す機能情報を送信する送信部と、前記第１の機能に対応する第１のパラメータと前記第２の機能に対応する第２のパラメータを、上位層シグナリングを介して、受信する受信部と、を備え、前記送信部は、前記第１のパラメータと前記第２のパラメータが設定されたとすれば、ＰＵＳＣＨ（Physical Uplink Shared Channel）とＰＵＣＣＨ（Physical Uplink Control Channel）を同じ回数および同じサブフレームを用いて繰り返し送信する。
【０２８３】
（２）本発明の一様態による端末装置は、上記の端末装置であって、前記ＰＵＳＣＨと前記ＰＵＣＣＨが前記同じサブフレームにおいて送信される場合、前記送信部は、前記ＰＵＣＣＨに対する送信電力をセットする際に、所定の電力オフセットを用いてセットする。
【０２８４】
（３）本発明の一様態による端末装置は、上記の端末装置であって、前記ＰＵＣＣＨが前記ＰＵＳＣＨと同じサブフレームで送信されない場合、前記送信部は、前記ＰＵＣＣＨに対する送信電力をセットする際に、所定の電力オフセットを用いないでセットする。
【０２８５】
（４）本発明の一様態による基地局装置は、端末装置と通信する基地局装置であって、前記端末装置から第１の機能と第２の機能をサポートしていることを示す機能情報を受信する受信部と、前記機能情報をサポートする端末装置のアクセスを許可するセルを有する場合には、前記第１の機能に対応する第１のパラメータと前記第２の機能に対応する第２のパラメータを、上位層シグナリングを用いて送信する送信部と、を備え、前記送信部は、前記機能情報をサポートする端末装置のアクセスを許可するセルを有する場合には、ＰＵＣＣＨ（Physical Uplink Control Channel）に対する所定の電力オフセットを、上位層シグナリングを用いて送信する。
【０２８６】
（５）本発明の一様態による方法は、基地局装置と通信する端末装置における方法であって、第１の機能と第２の機能をサポートすることを示す機能情報を送信するステップと、前記第１の機能に対応する第１のパラメータと前記第２の機能に対応する第２のパラメータを、上位層シグナリングを介して、受信するステップと、前記第１のパラメータと前記第２のパラメータが設定されたとすれば、ＰＵＳＣＨ（Physical Uplink Shared Channel）とＰＵＣＣＨ（Physical Uplink Control Channel）を同じ回数および同じサブフレームを用いて繰り返し送信するステップと、を有する。
【０２８７】
（６）本発明の一様態による方法は、上記の方法であって、前記ＰＵＳＣＨと前記ＰＵＣＣＨが前記同じサブフレームにおいて送信される場合、前記ＰＵＣＣＨに対する送信電力をセットする際に、所定の電力オフセットを用いてセットするステップと、前記ＰＵＣＣＨが前記ＰＵＳＣＨと同じサブフレームで送信されない場合、前記ＰＵＣＣＨに対する送信電力をセットする際に、所定の電力オフセットを用いないでセットするステップと、を有する。
【０２８８】
（７）本発明の一様態による方法は、端末装置と通信する基地局装置における方法であって、前記端末装置から第１の機能と第２の機能をサポートしていることを示す機能情報を受信するステップと、前記機能情報をサポートする端末装置のアクセスを許可するセルを有する場合には、前記第１の機能に対応する第１のパラメータと前記第２の機能に対応する第２のパラメータを、上位層シグナリングを用いて送信するステップと、前記機能情報をサポートする端末装置のアクセスを許可するセルを有する場合には、ＰＵＣＣＨ（Physical Uplink Control Channel）に対する所定の電力オフセットを、上位層シグナリングを用いて送信するステップと、を有する。
【０２８９】
（８）本発明の一様態による端末装置は、基地局装置と通信する端末装置であって、マスターインフォメーションブロック（ＭＩＢ）および１つ以上のシステムインフォメーションブロック（ＳＩＢ）を受信する受信部と、第１の機能を有することを示す機能情報を送信する送信部と、を備え、前記ＭＩＢまたは前記ＳＩＢを用いて前記第１の機能の端末装置がアクセスすることを許可されたセルが示された場合、且つ、前記ＭＩＢまたは前記ＳＩメッセージにＰＤＣＣＨ（Physical Downlink Control Channel）の設定に関する情報が含まれている場合、前記受信部は、前記ＰＤＣＣＨの設定に関する情報に基づくリソース割り当てに基づいて、前記セルからＰＤＣＣＨを受信する。
【０２９０】
（９）本発明の一様態による端末装置は、上記の端末装置であって、前記受信部は、前記ＰＤＣＣＨから第１のＲＮＴＩ（Radio Network Temporary Identifier）によってスクランブルされたＣＲＣ（Cyclic Redundancy Check）を伴うＤＣＩ（Downlink Control Information）フォーマットを検出し、前記ＤＣＩフォーマットから検出したリソース割り当てに基づいて、ＰＣＨ（Paging Channel）を検出する。
【０２９１】
（１０）本発明の一様態による端末装置は、上記の端末装置であって、前記受信部は、前記第１のＲＮＴＩを、上位層シグナリングを用いて、受信する。
【０２９２】
（１１）本発明の一様態による端末装置は、上記の端末装置であって、前記受信部は、前記ＭＩＢまたは前記ＳＩＢに前記ＰＤＣＣＨの設定に関する情報が含まれていない場合、且つ、ＥＰＤＣＣＨ（Enhanced PDCCH）の設定に関する情報にＰＣＨに対する第２のＲＮＴＩが設定されている場合には、前記ＥＰＤＣＣＨから第２のＲＮＴＩによってスクランブルされたＣＲＣを伴うＤＣＩフォーマットを検出し、前記ＤＣＩフォーマットに基づいて、ＰＣＨを検出する。
【０２９３】
（１２）本発明の一様態による端末装置は、上記の端末装置であって、前記受信部は、前記ＭＩＢまたは前記ＳＩＢに前記ＰＤＣＣＨの設定に関する情報が含まれていない場合、且つ、ＥＰＤＣＣＨの設定に関する情報にＰＣＨに対する第２のＲＮＴＩが設定されていない場合、且つ、前記第１の機能情報が、前記ＭＩＢまたは前記ＳＩＢに含まれる下りリンク送信帯域幅に対応している場合には、前記下りリンク送信帯域幅に割り当てられたＰＤＣＣＨから、所定の値である第３のＲＮＴＩによってスクランブルされたＣＲＣを伴うＤＣＩフォーマットを検出し、前記ＤＣＩフォーマットに基づいて、ＰＣＨを検出する。
【０２９４】
（１３）本発明の一様態による端末装置は、上記の端末装置であって、前記ＰＤＣＣＨの設定に基づくリソース割り当ては、前記ＭＩＢまたは前記ＳＩＢで示される下りリンク送信帯域幅に対応するリソースブロックインデクスで表される。
【０２９５】
（１４）本発明の一様態による基地局装置は、端末装置と通信する基地局装置であって、前記端末装置から第１の機能をサポートしていることを示された場合、前記第１の機能をサポートする端末装置のアクセスを許可するセルがあるかないかを示す情報を、システムインフォメーションを含む上位層シグナリングを用いて送信する送信部を備え、前記送信部は、前記第１の機能をサポートする端末装置のアクセスを許可するセルがある場合には、マスターインフォメーションブロックまたはシステムインフォメーションブロックに前記第１の機能をサポートする端末装置に対するＰＤＣＣＨ（Physical Downlink Control Channel）の設定に関する情報をセットする。
【０２９６】
（１５）本発明の一様態による基地局装置は、上記の基地局装置であって、前記送信部は、第１のＲＮＴＩ（Radio Network Temporary Identifier）によってスクランブルされたＣＲＣ（Cyclic Redundancy Check）を伴うＤＣＩ（Downlink Control Information）フォーマットを前記ＰＤＣＣＨの設定に基づいて送信し、前記第１のＲＮＴＩは、前記第１の機能をサポートする端末装置に対するＰＣＨ（Paging Channel）のＲＮＴＩである。
【０２９７】
（１６）本発明の一様態による方法は、基地局装置と通信する端末装置における方法であって、マスターインフォメーションブロック（ＭＩＢ）を受信するステップと、１つ以上のシステムインフォメーションブロック（ＳＩＢ）を受信するステップと、第１の機能を有することを示す機能情報を送信するステップと、前記ＭＩＢまたは前記ＳＩＢを用いて前記第１の機能の端末装置がアクセスすることを許可されたセルが示された場合、且つ、前記ＭＩＢまたは前記ＳＩメッセージにＰＤＣＣＨ（Physical Downlink Control Channel）の設定に関する情報が含まれている場合、前記ＰＤＣＣＨの設定に関する情報に基づくリソース割り当てに基づいて、前記セルからＰＤＣＣＨを受信するステップと、を有する。
【０２９８】
（１７）本発明の一様態による方法は、端末装置と通信する基地局装置における方法であって、前記端末装置から第１の機能をサポートしていることを示された場合、前記第１の機能をサポートする端末装置のアクセスを許可するセルがあるかないかを示す情報を、システムインフォメーションを含む上位層シグナリングを用いて送信するステップと、前記第１の機能をサポートする端末装置のアクセスを許可するセルがある場合には、マスターインフォメーションブロックまたはシステムインフォメーションブロックに前記第１の機能をサポートする端末装置に対するＰＤＣＣＨ（Physical Downlink Control Channel）の設定に関する情報をセットするステップと、を有する。
【０２９９】
（１８）本発明の一様態による端末装置は、基地局装置と通信する端末装置であって、第１の機能をサポートしていることを示す機能情報を前記基地局装置に送信する送信部と、ＰＢＣＨ（Physical Broadcast Channel）からＭＩＢ（Master Information Block）を検出する受信部を備え、前記受信部は、前記基地局装置から前記第１の機能をサポートしている端末装置のアクセスが許可されたとすれば、前記ＭＩＢから、少なくとも前記第１の機能をサポートしている端末装置に対する下りリンクリソース割り当てに関連する第１の情報を検出する。
【０３００】
（１９）本発明の一様態による端末装置は、上記の端末装置であって、前記受信部は、前記第１の情報に基づいて、少なくとも前記第１の機能をサポートしている端末装置に対するＰＤＣＣＨ（Physical Downlink Control Channel）を受信する。
【０３０１】
（２０）本発明の一様態による端末装置は、上記の端末装置であって、前記受信部は、前記ＰＤＣＣＨにおいて、ＣＲＣ（Cyclic Redundancy check）がＳＩ−ＲＮＴＩ（System Information - Radio Network Temporary Identifier）がスクランブルされているとすれば、前記ＰＤＣＣＨに対応するＰＤＳＣＨ（Physical Downlink Shared Channel）から前記第１の機能をサポートしている端末装置に対するシステムインフォメーションを検出する。
【０３０２】
（２１）本発明の一様態による端末装置は、上記の端末装置であって、前記ＳＩ−ＲＮＴＩの値はデフォルト値である。
【０３０３】
（２２）本発明の一様態による端末装置は、上記の端末装置であって、前記受信部は、前記システムインフォメーションから前記第１の機能をサポートしている端末装置に対する物理チャネル／物理信号の設定に関する情報を検出する。
【０３０４】
（２３）本発明の一様態による基地局装置は、端末装置と通信する基地局装置であって、ＭＩＢ（Master Information Block）に、少なくとも第１の機能をサポートしている端末装置に対する下りリンクリソース割り当てに関連する第１の情報をセットし、送信する送信部を備え、前記送信部は、前記下りリンクリソース割り当てに対応するＰＤＣＣＨ（Physical Downlink Control Channel）を送信する。
【０３０５】
（２４）本発明の一様態による方法は、基地局装置と通信する端末装置における方法であって、第１の機能をサポートしていることを示す機能情報を前記基地局装置に送信するステップと、ＰＢＣＨ（Physical Broadcast Channel）からＭＩＢ（Master Information Block）を検出するステップと、前記基地局装置から前記第１の機能をサポートしている端末装置のアクセスが許可されたとすれば、前記ＭＩＢから、少なくとも前記第１の機能をサポートしている端末装置に対する下りリンクリソース割り当てに関連する第１の情報を検出するステップと、を有する。
【０３０６】
（２５）本発明の一様態による方法は、端末装置と通信する基地局装置における方法であって、ＭＩＢ（Master Information Block）に、少なくとも第１の機能をサポートしている端末装置に対する下りリンクリソース割り当てに関連する第１の情報をセットし、送信するステップと、前記ＭＩＢに前記下りリンクリソース割り当てをセットした場合には、前記下りリンクリソース割り当てに対応するＰＤＣＣＨ（Physical Downlink Control Channel）を送信するステップと、を有する。
【０３０７】
（２６）本発明の一様態による端末装置は、基地局装置と通信する端末装置であって、第１の機能をサポートする場合、且つ、マスターインフォメーションブロック（ＭＩＢ）に第１の機能を有する端末装置に対するＰＤＣＣＨ（Physical Downlink Control Channel）の設定に関する情報が含まれている場合、一時的に前記ＰＤＣＣＨの設定に関する情報をバッファするバッファ部を備え、前記バッファ部は、システムインフォメーションブロック（ＳＩＢ）を受信することによって、オーバーフローが生じるとすれば、前記ＰＤＣＣＨの設定に関する情報を優先して保持し、オーバーフローした前記ＳＩＢをフラッシュする。
【０３０８】
（２７）本発明の一様態による端末装置は、上記の端末装置であって、前記バッファ部は、ページング情報を受信することによって、オーバーフローするが生じるとすれば、前記ＰＤＣＣＨの設定に関する情報を優先して保持し、オーバーフローしたページング情報をフラッシュする。
【０３０９】
（２８）本発明の一様態による端末装置は、上記の端末装置であって、前記バッファ部は、前記ＳＩＢに前記ＰＤＣＣＨの設定に関する情報が含まれている場合には、前記ＭＩＢと前記ＳＩＢを受信することによってオーバーフローが生じるとすれば、前記ＭＩＢをフラッシュする。
【０３１０】
（２９）本発明の一様態による端末装置は、上記の端末装置であって、前記バッファ部は、前記ＳＩＢの変更を通知するページング情報を受信し、且つ、前記ＭＩＢと前記ページング情報を受信することによってオーバーフローが生じる場合には、前記ＭＩＢをフラッシュする。
【０３１１】
（３０）本発明の一様態による方法は、基地局装置と通信する端末装置における方法であって、第１の機能をサポートする場合、且つ、マスターインフォメーションブロック（ＭＩＢ）に第１の機能を有する端末装置に対するＰＤＣＣＨ（Physical Downlink Control Channel）の設定に関する情報が含まれている場合、一時的に前記ＰＤＣＣＨの設定に関する情報をバッファするステップと、を有し、システムインフォメーションブロック（ＳＩＢ）を受信することによって、オーバーフローが生じるとすれば、前記ＰＤＣＣＨの設定に関する情報を優先して保持するステップと、オーバーフローした前記ＳＩＢをフラッシュするステップと、を有する。
【０３１２】
（３１）本発明の一様態による方法は、上記の方法であって、ページング情報を受信することによって、オーバーフローするが生じるとすれば、前記ＰＤＣＣＨの設定に関する情報を優先して保持するステップと、オーバーフローしたページング情報をフラッシュするステップと、を有する。
【０３１３】
（３２）本発明の一様態による方法は、上記の方法であって、前記ＳＩＢに前記ＰＤＣＣＨの設定に関する情報が含まれている場合には、前記ＭＩＢと前記ＳＩＢを受信することによってオーバーフローが生じるとすれば、前記ＭＩＢをフラッシュするステップを有する。
【０３１４】
（３３）本発明の一様態による方法は、上記の方法であって、前記ＳＩＢの変更を通知するページング情報を受信し、且つ、前記ＭＩＢと前記ページング情報を受信することによってオーバーフローが生じる場合には、前記ＭＩＢをフラッシュするステップを有する。
【０３１５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３１６】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６  制御部
６０７  上位層
６０８  チャネル状態測定部
６０９  上りリンクサブフレーム生成部
６１０  上りリンク制御情報生成部
６１１、６１２  ＳＣ−ＦＤＭＡ信号送信部
６１３、６１４  送信アンテナ
【図１】
2018041994.tif 000003
【図２】
2018041994.tif 000004
【図３】
2018041994.tif 000005
【図４】
2018041994.tif 000006